(57)【要約】  インターネットは様々なサービスを通じて支配的な通信媒体となっているが、このコンテンツの大多数の主要な入口は、ユーザ、グループ、企業、小売店などに対応付けられるウェブページである。今日、コンテンツを生成する人々は、ほぼ２つのオプションに固定しており、一方はウェブ製作者およびウェブサイト開発企業を介した完全にクリエイティブな制御と柔軟性を求める高額なオプションであり、他方はテンプレートを提供する企業を利用して、制約下で作業する低額なオプションである。対照的に、本発明の実施形態は、カット、コピー、ペーストなどのユーザが慣れ親しんだ従来の特徴を提供し、完了したときに変更がインターネット上で自動的にライブになるようにウェブサイト内で直接作業するが、標準的なグラフィック編集または文書処理ツールのようになじみ深いツールを使用することによって、ユーザがウェブページ内で直接編集、操作、作成することができる。
2018536233.tif 000002
【特許請求の範囲】
【請求項１】
コンテンツの項目に関連付けられるフォントを、前記コンテンツの項目に関連するドキュメントオブジェクトモデル内の前記コンテンツの項目に関連付けられる前記フォントの名称の変更を自動的に検出することによって置き換える方法。
【請求項２】
目標フォントをウェブコンテンツの項目に追加する方法であって、
ウェブコンテンツの別の項目からのコンテンツの所定部分を前記目標フォントでコピーするステップと、
前記コンテンツの所定部分をウェブコンテンツの項目にペーストするステップと、
前記ペースト操作の結果として、前記目標フォントを自動的に設定し、前記目標フォントをインストールするステップと、
を備える方法。
【請求項３】
目標フォントをウェブコンテンツの項目に追加する方法であって、
前記ウェブコンテンツの項目にウィジェットをドラッグアンドドロップするステップであって、前記ウィジェットが前記目標のソースを特定するユニフォームリソースロケータ（ＵＲＬ）を備えるステップと、
前記ドラッグアンドドロップ操作の結果として、前記ＵＲＬに自動的にアクセスし、前記目標フォントをインストールするステップと、
を備える方法。
【請求項４】
目標フォントをウェブコンテンツの項目に追加する方法であって、
ユーザからトリガを受信するステップと、
前記トリガに応答して、少なくとも前記ユーザが前記目標フォントの名称を入力するフィールドを備えるポップアップを生成するステップと、
前記目標フォントのインスタンスのためにインターネットを自動的に検索するステップと、
前記目標フォントをインストールするステップと、
を備える方法。
【請求項５】
項目コンテンツ内の画像を置き換える方法であって、
前記コンテンツの項目内の前記画像を選択することと、
第２の画像の所定部分を前記コンテンツの項目内の前記画像の所定部分にわたって配置する、前記第２の画像に関連するドラッグアンドドロップ操作を検出することと、
前記コンテンツの項目内の前記画像を前記第２の画像で自動的に置き換えることと、
を備える方法。
【請求項６】
前記画像を自動的に置き換えることが、前記第２の画像が採用されて、置き換わる前記画像と同一のパラメータを有するように、前記コンテンツの項目のドキュメントオブジェクトモデルの一部を修正することを備える、請求項５に記載の方法。
【請求項７】
項目コンテンツに画像を追加する方法であって、
別のコンテンツの項目内の前記画像を選択することと、
前記画像の所定部分を前記コンテンツの項目の所定部分にわたって配置する、前記画像に関連するドラッグアンドドロップ操作を検出することと、
コンテンツの別の項目と関連付けられる別のドキュメントオブジェクトモデルから抽出された前記画像に関連するデータを用いて、前記コンテンツの項目のドキュメントオブジェクトモデルを自動的に補正することと、
を備える方法。
【請求項８】
ユーザがウェブコンテンツ編集ツール内で実行できる１つ以上のアクションに関連するブックマークレットを生成することと、
前記ウェブコンテンツ編集ツールのインスタンスが開かれていない場合、ウェブブラウザ内の前記ユーザに対して前記ブックマークレットを表示することと、
前記ブックマークレット内の前記１つ以上のアクションのうちのアクションのユーザ選択を検出することと、
前記ウェブブラウザ内で前記ユーザに対して現在表示されているウェブコンテンツ上で前記ユーザ選択アクションを実行することと、
を備える方法。
【請求項９】
スクリプト言語に関連するスクリプトを備えるアクションを設定することと、
ウェブブラウザ内に前記アクションに関連するアイコンを関連付けることと、
前記ウェブブラウザ内で開かれたウェブページへの前記アクションの挿入を検出すると前記アクションを実行することと、
を備える方法。
【請求項１０】
前記アクションが、
前記ウェブページに関係なく自動的に、および、
前記ウェブページ内で現在選択されている項目に自動的に、の少なくとも一方で実行される、請求項９に記載の方法。
【請求項１１】
前記ユーザによってアクセスされるウェブページのドキュメントオブジェクトモデルの所定部分を備えるアクションを設定することであって、前記ドキュメントオブジェクトモデルの前記所定部分が、前記ユーザによって選択される前記ウェブページ内の１つ以上の項目に関連することと、
ウェブブラウザ内に前記アクションに関連するアイコンを関連付けることと、
前記ウェブブラウザ内で開かれた別のウェブページへの前記アクションの挿入を検出すると、前記アクションを自動的に引き起こすことと、
を備える方法。
【請求項１２】
前記アクションを自動的に引き起こすことが、前記ユーザによってアクセスされる前記ウェブページの前記ドキュメントオブジェクトモデルの前記所定部分を前記別のウェブページのドキュメントオブジェクトモデルに挿入することを備える、請求項１１に記載の方法。
【請求項１３】
ソフトウェアアプリケーション内のユーザにパレットを提示することと、
前記ソフトウェアアプリケーションで前記ユーザに提示されるコンテンツ内の項目の移動を検出することと、
前記移動が完了したときに、前記パレットが前記項目に被らないように前記パレットを自動的に再配置することと、
を備える方法。
【請求項１４】
前記ユーザが前記項目を移動させるとき、前記パレットが前記ユーザに対して表示されない、請求項１３に記載の方法。
【請求項１５】
コンテンツの項目の一部がユーザに表示されるとき、前記ユーザにｉｆｒａｍｅを提示することと、
前記ｉｆｒａｍｅに関連する前記ユーザによるアクションを検出することと、
前記ユーザが、前記コンテンツの項目を前記ユーザに提示する前記アプリケーション内の前記ｉｆｒａｍｅを編集できるか否かを判定することと、
を備える方法。
【請求項１６】
前記判定が、前記ユーザのＩＤ、前記ユーザに関連するアクセス資格情報、前記コンテンツの項目を形成するエレメントの階層内の前記ｉｆｒａｍｅのレベルのうちの少なくとも１つに応じて行われる、請求項１５に記載の方法。
【発明の詳細な説明】
【技術分野】
【０００１】
本発明は、インターネットコンテンツ生成、特に、ウェブページ、ウェブアプリ、ウェブサイトの取得、修正、生成用の改良ツールに関する。
【背景技術】
【０００２】
インターネットは、標準的なインターネットプロトコルスイート通信プロトコル、たとえば、ＴＣＰ／ＩＰを用いて、全世界で数十億個の装置にリンクする相互接続コンピュータネットワークのグローバルシステムである。インターネットは実質上、幅広い電子、無線、光ネットワーキング技術によってリンクされた、地方から世界にわたる数百万の民間、公的、学究、企業、政府ネットワークから成るネットワーク網である。インターネットは、ワールドワイドウェブ（ＷＷＷ）の連結ハイパーテキスト文書およびアプリケーション、ｅメールをサポートするインフラストラクチャ、ファイル共有および電話通信用のピアツーピアネットワークなどの広範な情報リソースおよびサービスを担持している。
【０００３】
インターネットは１９８０年代以降、学会で広く使用されてきたが、商業化により、１９９０年代には、この国際的なネットワークは人気を博し、現代の人間の生活の実質上あらゆる側面に組み込まれるようになった。２０１４年４月の時点で、世界人口の約４０％である約３０億人がインターネットに接続している。３０年間にわたって、電話、音楽、映画、テレビなどの大半の従来の通信媒体は、インターネットによって再編または再定義されつつあり、ボイスオーバインターネットプロトコル（ＶｏＩＰ）やインターネットプロトコルテレビ（ＩＰＴＶ）などの新たなサービスを生み出している。新聞、書籍、その他の印刷物はウェブサイト技術に合わせて改変されつつある、あるいはブログやウェブフィードに再編されつつある。インターネットは、インスタントメッセージ、インターネットフォーラム、ソーシャルネットワーキングを通じて新たな形式の人間の対話を可能にし、加速させた。オンラインショッピングは、大手の小売店にとっても小規模な職人や取引業者にとっても重要性を増している。インターネットを介した企業間の金融サービスは、産業全体でサプライチェーンに影響を及ぼす。
【０００４】
ユーザの大多数、特に平均的な個人は、ウェブページとウェブサイトを通じてインターネットに参加する。ウェブサイトは、単独のウェブドメインから供給され、少なくとも１つのウェブサーバをホストとし、ユニフォームリソースロケータ（ＵＲＬ）として知られるインターネットアドレスを通じて、インターネットまたは構内ローカルエリアネットワークなどのネットワークを介してアクセスされる１セットの関連ウェブページである。すべての公的にアクセス可能なウェブサイトは、まとめてワールドワイドウェブを構成する。通常、各ウェブページは、ハイパーテキストマーク付け言語（ＨＴＭＬ、ＸＨＴＭＬ）などの言語で、フォーマッティング命令を差し込んだプレーンテキストで記述される文書である。ウェブページは、同じウェブサイトまたは他のウェブサイト上の他のウェブページへの適切なマーク付けアンカーとリンクを用いて、他のウェブサイトからのエレメントを組み込むことができ、後者は通常、ハイパーテキストリンクを介してアクセスされる。
【０００５】
情報を視聴するため、ユーザは、大抵はウェブブラウザと称されるアプリケーションを起動し、検索または記憶されたリンクやウェブアドレスを通じてウェブページまでナビゲートされる。ウェブブラウザはＨＴＭＬマーク付け命令に従ってディスプレイ端子にページコンテンツをレンダーする。コンテンツとＨＴＭＬマーク付け命令はハイパーテキスト転送プロトコル（ＨＴＴＰ）で移送されており、任意で暗号化（ＨＴＴＰ  Ｓｅｃｕｒｅ、ＨＴＴＰＳ）を採用して、ウェブページコンテンツのユーザにセキュリティとプライバシーを提供することができる。ページのＵＲＬはページを階層に組織化するが、ページ間のハイパーリンキングが読者の認知するサイト構造を伝え、一般的にサイトのウェブコンテンツへのリンク、補足情報、問い合わせ先、リンクページを有するホームページを含むサイトで読者のナビゲーションを誘導する。
【０００６】
いくつかのウェブサイトは、コンテンツの一部または全部にアクセスするために予約購読を必要とする。予約購読ウェブサイトはたとえば、多くの企業サイト、ニュースウェブサイトの一部、学会誌ウェブサイト、ゲーミングウェブサイト、ファイル共有ウェブサイト、掲示板、ウェブベースのｅメール、ソーシャルネットワーキングウェブサイト、リアルタイムの株式市場データを提供するウェブサイト、その他の各種サービスを提供するウェブサイト（たとえば、画像やファイルなどを保存および／または共有するウェブサイト）を含む。
【０００７】
しかしながら、コンテンツ、構造、ウェブサイトなどに関係なく、あらゆるウェブサイト上のあらゆるウェブページを生成しなければならない。一部のウェブページは検索からの結果を表示することができるが、これらの検索結果はウェブページまたはウェブページの一部である。１億超のウェブサイト上の推定１０００億超のウェブページでは、大量の人的リソースがウェブページのデザイン、レイアウト、構造に投下される。現在、ウェブサイトの作成は通常、２つの主な業種であるウェブデザイナーとウェブ製作者が行い、両者はウェブサイトに関して密に協力することが多い。ウェブデザイナーはウェブページのレイアウト、彩色、タイポグラフィなどの視覚的側面を担当し、ＨＴＭＬ、カスケードスタイルシート（ＣＳＳ）、ＪａｖａＳｃｒｉｐｔ（登録商標）、ＰＨＰ（サーバ−側スクリプト言語）、Ｆｌａｓｈなどの各種言語を用いてサイトを作成する作業知識を有するが、知識の範囲はウェブデザイナー毎に異なる。特に小規模な団体では、１人の人がウェブページ全体を設計しプログラミングするのに必要なスキルを要する一方で、大規模な団体は視覚的側面のみを担当するウェブデザイナーを配備することができる。他の特定の状況では、ウェブサイトの作成中、たとえば、（ロゴ、レイアウト、ボタンなどのサイトのビジュアルを作成する）グラフィックデザイナー、（視聴者をターゲットとする戦略的ソリューションを通じてウェブプレゼンスを維持するのを助ける）インターネットマーケティング専門家、（ウェブサイト言語を調査／推薦して、サーチエンジン上のウェブサイト視認性を高める）サーチエンジンオプティマイザ（ＳＥＯ）、（記述コンテンツを作成する）インターネットコピーライター、（エンドユーザの設計上の考慮事項に対応する）ユーザエクスペリエンス（ＵＸ）デザイナーなどのその他の個人が関わる場合がある。
【０００８】
その結果、企業または団体の戦略の主要な要素、多くの場合、不可欠な要素であるウェブサイトを構築することは、デスクトップおよびモバイルユーザの両方をサポートするだけでなく、様々な地理的領域のユーザに対処する複数の言語をサポートする必要性のせいで、コストのかかる難題であり得る。低帯域幅、低表示機能、低処理能力のため、モバイルウェブページ／ウェブサイトは概して、デスクトップウェブページ／ウェブサイトほど複雑でもなくグラフィック集約的でもない。
【０００９】
したがって、過去１０年間にわたって、ウェブページ／ウェブサイトの専門設計ツールは改良され、個人や小企業など向けにも並行して開発が進められており、予め構成されたテンプレートの使用を通じてウェブサイトおよびそのウェブページを設計および実行し、ユーザがウェブ設計開発ツールを理解する必要条件を排除することができるようになった。多くの場合、これらは個別の第三者サービスであったが、次第にＧｏＤａｄｄｙＴＭ、ＷｉｘＴＭ、ＷｏｒｄＰｒｅｓｓ．ｃｏｍなどの企業からのパッケージの一部としてバンドル化されつつある。ここで、ユーザはインターネットドメインに登録し、ウェブサイトを生成し、サーバや拡張性などについて心配する必要がないように提供させることができる。
【００１０】
しかしながら、このためにユーザには実質上２つのオプションが残される。第１のオプションは独創的な制御と柔軟性を備え、ウェブ製作者とウェブサイト開発企業が望んだとおりのサイトを利用することである。第２のオプションは、利用可能なテンプレートからテンプレートを選択し、その制約内で作業することである。前者がマーケティング予算を正当化し、投資利益率を定量化できる既に確立した企業に適する一方、後者は未知の投資利益率に対して大きなコストを発生させずにウェブプレゼンスを確立する小企業や新興企業、個人などに採用される。
【００１１】
したがって、簡易で直観的に使用できる生成ツールの範囲内で、望むデザインのウェブページおよび／またはウェブサイトを作成する機能をユーザに提供することが有益であろう。前者の生成ツールは好都合なことに、ユーザがウェブページ／ウェブサイトを見るのとまさに同じウェブブラウザであり、後者の直感的な使い易さは、ユーザが文書処理、グラフィックエディタなどから慣れ親しんでいるのと同じ特徴である。
【００１２】
また、ウェブページおよび／またはウェブサイトを生成する際に、ユーザが既存のウェブページ／ウェブサイトを迅速に複製し、編集し、望む変更を反映できることが有益であろう。たとえば、２０のフラワーアレンジメントを提供する花屋であれば、それぞれテーマがほぼ同一であり、コンテンツが各アレンジメントの画像、コスト、オプション毎に変化する２０のウェブページを構築したいと考える。同様に、小さな地方のレストランチェーンであれば、チェーンの近隣を反映しているが、同様の構造と多くの共通要素を備えるように場所毎のウェブサイトを構築したいと考える。したがって、ウェブページを容易にコピー、編集、保存することができると有益であろう。
【００１３】
さらに、ウェブページ／ウェブサイトへのユーザの編集や補正などが、いったん完了すれば、修正コンテンツのサービスプロバイダのアップロードを待たずに自動的かつ迅速にオンラインに反映されることも有益であろう。また、映像、ウィジェットなどの拡張的特徴をウェブサイトに迅速に追加できることも有益であろう。
【００１４】
本発明のその他の側面と特徴は、添付図面と併せて以下の具体的な発明の実施形態を参照することで当業者にとって自明になるであろう。
【発明の概要】
【００１５】
本発明の目的は、インターネットコンテンツ生成に関連する従来技術の制限、特に、ウェブページ、ウェブアプリ、ウェブサイトの取得、修正、生成用の改良ツールに対応することである。
【００１６】
本発明の実施形態によると、コンテンツの項目に関連付けられるフォントを、コンテンツの項目に関連するドキュメントオブジェクトモデル内のコンテンツの項目に関連付けられるフォントの名称の変更を自動的に検出することによって、置き換える方法が提供される。
【００１７】
本発明の実施形態による、目標フォントをウェブコンテンツの項目に追加する方法は、
ウェブコンテンツの別の項目からのコンテンツの所定部分を目標フォントでコピーするステップと、
コンテンツの所定部分をウェブコンテンツの項目にペーストするステップと、
ペースト操作の結果として、目標フォントを自動的に設定し、目標フォントをインストールするステップと、
を備える。
【００１８】
本発明の実施形態による、目標フォントをウェブコンテンツの項目に追加する方法は、
ウェブコンテンツの項目にウィジェットをドラッグドロップするステップであって、ウィジェットが目標のソースを特定するユニフォームリソースロケータ（ＵＲＬ）を備えるステップと、
ドラッグアンドドロップアクションの結果として、ＵＲＬに自動的にアクセスし、目標フォントをインストールするステップと、
を備える。
【００１９】
本発明の実施形態による、目標フォントをウェブコンテンツの項目に追加する方法は、
ユーザからトリガを受信するステップと、
トリガに応答して、少なくともユーザが目標フォントの名称を入力するフィールドを備えるポップアップを生成するステップと、
目標フォントのインスタンスのためにインターネットを自動的に検索するステップと、
目標フォントをインストールするステップと、
を備える。
【００２０】
本発明の実施形態による、項目コンテンツ内の画像を置き換える方法は、
コンテンツの項目内の画像を選択することと、
第２の画像の所定部分をコンテンツの項目内の画像の所定部分にわたって配置する、第２の画像に関連するドラッグアンドドロップアクションを検出することと、
コンテンツの項目内の画像を第２の画像で自動的に置き換えることと、
を備える。
【００２１】
本発明の実施形態によると、項目コンテンツに画像を追加する方法は、
別のコンテンツの項目内の画像を選択することと、
画像の所定部分をコンテンツの項目の所定部分にわたって配置する、画像に関連するドラッグアンドドロップアクションを検出することと、
コンテンツの別の項目と関連付けられる別のドキュメントオブジェクトモデルから抽出された画像に関連するデータを用いて、コンテンツの項目のドキュメントオブジェクトモデルを自動的に補正することと、
を備える。
【００２２】
本発明の実施形態による方法は、
ユーザがウェブコンテンツ編集ツール内で実行できる１つ以上のアクションに関連するブックマークレットを生成することと、
ウェブコンテンツ編集ツールのインスタンスが開かれていない場合、ウェブブラウザ内のユーザに対してブックマークレットを表示することと、
ブックマークレット内の１つ以上のアクションのうちのアクションのユーザ選択を検出することと、
ウェブブラウザ内でユーザに対して現在表示されているウェブコンテンツ上でユーザ選択アクションを実行することと、
を備える。
【００２３】
本発明の実施形態による方法は、
スクリプト言語に関連するスクリプトを備えるアクションを設定することと、
ウェブブラウザ内にアクションに関連するアイコンを関連付けることと、
ウェブブラウザ内で開かれたウェブページへのアクションの挿入を検出するとき、アクションを実行することと、
を備える。
【００２４】
本発明の実施形態による方法は、
ユーザによってアクセスされるウェブページのドキュメントオブジェクトモデルの所定部分を備えるアクションを設定することであって、ドキュメントオブジェクトモデルの所定部分が、ユーザによって選択されるウェブページ内の１つ以上の項目に関連することと、
ウェブブラウザ内にアクションに関連するアイコンを関連付けることと、
ウェブブラウザ内で開かれた別のウェブページへのアクションの挿入を検出するとき、アクションを自動的に引き起こすことと、
を備える。
【００２５】
本発明の実施形態による方法は、
ソフトウェアアプリケーション内でユーザにパレットを提示することと、
ソフトウェアアプリケーションでユーザに提示されるコンテンツ内の項目の移動を検出することと、
移動が完了したときに、パレットが項目に被らないようにパレットを自動的に再配置することと、
を備える。
【００２６】
本発明の実施形態による方法は、
コンテンツの項目の一部がユーザに表示されるとき、ユーザにｉｆｒａｍｅを提示することと、
ｉｆｒａｍｅに関連するユーザによるアクションを検出することと、
ユーザが、コンテンツの項目をユーザに提示するアプリケーション内のｉｆｒａｍｅを編集できるか否かを判定することと、
を備える。
【００２７】
本発明のその他の側面と特徴は、添付図面と併せて以下の具体的な発明の実施形態を参照することで当業者にとって自明になるであろう。
【図面の簡単な説明】
【００２８】
本発明の実施形態は、添付図面を参照して、単に例として以下説明する。
【００２９】
【図１Ａ】図１Ａは、本発明の実施形態により、ウェブコンテンツシステムとウェブコンテンツアプリケーション／プラットフォーム（ＷＣＳ−ＷＣＡＰ）を介してドキュメントオブジェクトモデルを編集することによって直接ウェブページ内のフォントを変更することを示す。
【図１Ｂ】図１Ｂは、本発明の実施形態により、ウェブコンテンツシステムとウェブコンテンツアプリケーション／プラットフォーム（ＷＣＳ−ＷＣＡＰ）を介してドキュメントオブジェクトモデルを編集することによって直接ウェブページ内のフォントを変更することを示す。
【図１Ｃ】図１Ｃは、本発明の実施形態により、ウェブコンテンツシステムとウェブコンテンツアプリケーション／プラットフォーム（ＷＣＳ−ＷＣＡＰ）を介してドキュメントオブジェクトモデルを編集することによって直接ウェブページ内のフォントを変更することを示す。
【００３０】
【図２Ａ】図２Ａは、本発明の実施形態により、ＷＣＳ−ＷＣＡＰを介して別のウェブページからコンテンツを直接コピーペーストすることによって、ウェブページ内で新たなフォントをロードし使用することを示す。
【図２Ｂ】図２Ｂは、本発明の実施形態により、ＷＣＳ−ＷＣＡＰを介して別のウェブページからコンテンツを直接コピーペーストすることによって、ウェブページ内で新たなフォントをロードし使用することを示す。
【図２Ｃ】図２Ｃは、本発明の実施形態により、ＷＣＳ−ＷＣＡＰを介して別のウェブページからコンテンツを直接コピーペーストすることによって、ウェブページ内で新たなフォントをロードし使用することを示す。
【００３１】
【図３Ａ】図３Ａは、本発明の実施形態により、ＷＣＳ−ＷＣＡＰを介してウェブページにウィジェットを挿入することによってウェブページ内に新たなフォントをロードし使用することを示す。
【図３Ｂ】図３Ｂは、本発明の実施形態により、ＷＣＳ−ＷＣＡＰを介してウェブページにウィジェットを挿入することによってウェブページ内に新たなフォントをロードし使用することを示す。
【図３Ｃ】図３Ｃは、本発明の実施形態により、ＷＣＳ−ＷＣＡＰを介してウェブページにウィジェットを挿入することによってウェブページ内に新たなフォントをロードし使用することを示す。
【図３Ｄ】図３Ｄは、本発明の実施形態により、ＷＣＳ−ＷＣＡＰを介してウェブページにウィジェットを挿入することによってウェブページ内に新たなフォントをロードし使用することを示す。
【００３２】
【図４Ａ】図４Ａは、本発明の実施形態により、ＷＣＳ−ＷＣＡＰを介してインターネット検索を開始するホットキーによって新たなフォントをロードしインストールすることを示す。
【図４Ｂ】図４Ｂは、本発明の実施形態により、ＷＣＳ−ＷＣＡＰを介してインターネット検索を開始するホットキーによって新たなフォントをロードしインストールすることを示す。
【図４Ｃ】図４Ｃは、本発明の実施形態により、ＷＣＳ−ＷＣＡＰを介してインターネット検索を開始するホットキーによって新たなフォントをロードしインストールすることを示す。
【００３３】
【図５Ａ】図５Ａは、本発明の実施形態により、ＷＣＳ−ＷＣＡＰを介して別のアプリケーションからのペーストアクションを通じてコンテンツのウェブページを直接挿入することを示す。
【図５Ｂ】図５Ｂは、本発明の実施形態により、ＷＣＳ−ＷＣＡＰを介して別のアプリケーションからのペーストアクションを通じてコンテンツのウェブページを直接挿入することを示す。
【図５Ｃ】図５Ｃは、本発明の実施形態により、ＷＣＳ−ＷＣＡＰを介して別のアプリケーションからのペーストアクションを通じてコンテンツのウェブページを直接挿入することを示す。
【図５Ｄ】図５Ｄは、本発明の実施形態により、ＷＣＳ−ＷＣＡＰを介して別のアプリケーションからのペーストアクションを通じてコンテンツのウェブページを直接挿入することを示す。
【図５Ｅ】図５Ｅは、本発明の実施形態により、ＷＣＳ−ＷＣＡＰを介して別のアプリケーションからのペーストアクションを通じてコンテンツのウェブページを直接挿入することを示す。
【図５Ｆ】図５Ｆは、本発明の実施形態により、ＷＣＳ−ＷＣＡＰを介して別のアプリケーションからのペーストアクションを通じてコンテンツのウェブページを直接挿入することを示す。
【００３４】
【図６Ａ】図６Ａは、本発明の実施形態により、ＷＣＳ−ＷＣＡＰを介してドラッグアンドドロップアクションを通じてコンテンツのウェブページを直接挿入することを示す。
【図６Ｂ】図６Ｂは、本発明の実施形態により、ＷＣＳ−ＷＣＡＰを介してドラッグアンドドロップアクションを通じてコンテンツのウェブページを直接挿入することを示す。
【図６Ｃ】図６Ｃは、本発明の実施形態により、ＷＣＳ−ＷＣＡＰを介してドラッグアンドドロップアクションを通じてコンテンツのウェブページを直接挿入することを示す。
【図６Ｄ】図６Ｄは、本発明の実施形態により、ＷＣＳ−ＷＣＡＰを介してドラッグアンドドロップアクションを通じてコンテンツのウェブページを直接挿入することを示す。
【００３５】
【図７Ａ】図７Ａは、本発明の実施形態により、ＷＣＳ−ＷＣＡＰを介してコピーペーストアクションを通じてコンテンツのウェブページを直接挿入することを示す。
【図７Ｂ】図７Ｂは、本発明の実施形態により、ＷＣＳ−ＷＣＡＰを介してコピーペーストアクションを通じてコンテンツのウェブページを直接挿入することを示す。
【００３６】
【図８Ａ】図８Ａは、本発明の実施形態により、ウェブブラウザ内のＷＣＳ−ＷＣＡＰメニューを介してウェブページを直接編集することを示す。
【図８Ｂ】図８Ｂは、本発明の実施形態により、ウェブブラウザ内のＷＣＳ−ＷＣＡＰメニューを介してウェブページを直接編集することを示す。
【図８Ｃ】図８Ｃは、本発明の実施形態により、ウェブブラウザ内のＷＣＳ−ＷＣＡＰメニューを介してウェブページを直接編集することを示す。
【００３７】
【図９Ａ】図９Ａは、本発明の実施形態により、ＷＣＳ−ＷＣＡＰを介して選択されたコンテンツを有するウェブページにドロップされるウィジェットを自動的に実行することを示す。
【図９Ｂ】図９Ｂは、本発明の実施形態により、ＷＣＳ−ＷＣＡＰを介して選択されたコンテンツを有するウェブページにドロップされるウィジェットを自動的に実行することを示す。
【図９Ｃ】図９Ｃは、本発明の実施形態により、ＷＣＳ−ＷＣＡＰを介して選択されたコンテンツを有するウェブページにドロップされるウィジェットを自動的に実行することを示す。
【図９Ｄ】図９Ｄは、本発明の実施形態により、ＷＣＳ−ＷＣＡＰを介して選択されたコンテンツを有するウェブページにドロップされるウィジェットを自動的に実行することを示す。
【図９Ｅ】図９Ｅは、本発明の実施形態により、ＷＣＳ−ＷＣＡＰを介して選択されたコンテンツを有するウェブページにドロップされるウィジェットを自動的に実行することを示す。
【００３８】
【図１０Ａ】図１０Ａは、本発明の実施形態により、ＷＣＳ−ＷＣＡＰを介してウェブページ内の画像操作に関するウィジェットを生成することを示す。
【図１０Ｂ】図１０Ｂは、本発明の実施形態により、ＷＣＳ−ＷＣＡＰを介してウェブページ内の画像操作に関するウィジェットを生成することを示す。
【図１０Ｃ】図１０Ｃは、本発明の実施形態により、ＷＣＳ−ＷＣＡＰを介してウェブページ内の画像操作に関するウィジェットを生成することを示す。
【図１０Ｄ】図１０Ｄは、本発明の実施形態により、ＷＣＳ−ＷＣＡＰを介してウェブページ内の画像操作に関するウィジェットを生成することを示す。
【図１０Ｅ】図１０Ｅは、本発明の実施形態により、ＷＣＳ−ＷＣＡＰを介してウェブページ内の画像操作に関するウィジェットを生成することを示す。
【図１０Ｆ】図１０Ｆは、本発明の実施形態により、ＷＣＳ−ＷＣＡＰを介してウェブページ内の画像操作に関するウィジェットを生成することを示す。
【００３９】
【図１１Ａ】図１１Ａは、本発明の実施形態により、ＷＣＳ−ＷＣＡＰを介して図１０Ａおよび１０Ｂに示すようなプロセスに応じて生成されるウェブページベースのウィジェットを使用することを示す。
【図１１Ｂ】図１１Ｂは、本発明の実施形態により、ＷＣＳ−ＷＣＡＰを介して図１０Ａおよび１０Ｂに示すようなプロセスに応じて生成されるウェブページベースのウィジェットを使用することを示す。
【図１１Ｃ】図１１Ｃは、本発明の実施形態により、ＷＣＳ−ＷＣＡＰを介して図１０Ａおよび１０Ｂに示すようなプロセスに応じて生成されるウェブページベースのウィジェットを使用することを示す。
【００４０】
【図１２Ａ】図１２Ａは、本発明の実施形態により、ＷＣＳ−ＷＣＡＰを介してフォントのロードおよび使用に関するウィジェットを生成し適用することを示す。
【図１２Ｂ】図１２Ｂは、本発明の実施形態により、ＷＣＳ−ＷＣＡＰを介してフォントのロードおよび使用に関するウィジェットを生成し適用することを示す。
【図１２Ｃ】図１２Ｃは、本発明の実施形態により、ＷＣＳ−ＷＣＡＰを介してフォントのロードおよび使用に関するウィジェットを生成し適用することを示す。
【図１２Ｄ】図１２Ｄは、本発明の実施形態により、ＷＣＳ−ＷＣＡＰを介してフォントのロードおよび使用に関するウィジェットを生成し適用することを示す。
【図１２Ｅ】図１２Ｅは、本発明の実施形態により、ＷＣＳ−ＷＣＡＰを介してフォントのロードおよび使用に関するウィジェットを生成し適用することを示す。
【図１２Ｆ】図１２Ｆは、本発明の実施形態により、ＷＣＳ−ＷＣＡＰを介してフォントのロードおよび使用に関するウィジェットを生成し適用することを示す。
【００４１】
【図１３Ａ】図１３Ａは、本発明の実施形態により、ＷＣＳ−ＷＣＡＰを介して、あるウェブページから別のウェブページへ画像を直接コピーし埋め込むことを示す。
【図１３Ｂ】図１３Ｂは、本発明の実施形態により、ＷＣＳ−ＷＣＡＰを介して、あるウェブページから別のウェブページへ画像を直接コピーし埋め込むことを示す。
【００４２】
【図１４Ａ】図１４Ａは、本発明の実施形態により、ＷＣＳ−ＷＣＡＰを介してウェブページからコンテンツをコピーし、ウィジェットに埋め込み、ウィジェットを使用することを示す。
【図１４Ｂ】図１４Ｂは、本発明の実施形態により、ＷＣＳ−ＷＣＡＰを介してウェブページからコンテンツをコピーし、ウィジェットに埋め込み、ウィジェットを使用することを示す。
【図１４Ｃ】図１４Ｃは、本発明の実施形態により、ＷＣＳ−ＷＣＡＰを介してウェブページからコンテンツをコピーし、ウィジェットに埋め込み、ウィジェットを使用することを示す。
【図１４Ｄ】図１４Ｄは、本発明の実施形態により、ＷＣＳ−ＷＣＡＰを介してウェブページからコンテンツをコピーし、ウィジェットに埋め込み、ウィジェットを使用することを示す。
【図１４Ｅ】図１４Ｅは、本発明の実施形態により、ＷＣＳ−ＷＣＡＰを介してウェブページからコンテンツをコピーし、ウィジェットに埋め込み、ウィジェットを使用することを示す。
【００４３】
【図１５Ａ】図１５Ａは、本発明の実施形態により、ＷＣＳ−ＷＣＡＰ内のインテリジェントパレットを示す。
【図１５Ｂ】図１５Ｂは、本発明の実施形態により、ＷＣＳ−ＷＣＡＰ内のインテリジェントパレットを示す。
【図１５Ｃ】図１５Ｃは、本発明の実施形態により、ＷＣＳ−ＷＣＡＰ内のインテリジェントパレットを示す。
【図１５Ｄ】図１５Ｄは、本発明の実施形態により、ＷＣＳ−ＷＣＡＰ内のインテリジェントパレットを示す。
【００４４】
【図１６Ａ】図１６Ａは、本発明の実施形態により、ＷＣＳ−ＷＣＡＰを介してウェブページでＩｆｒａｍｅを利用し、編集可能領域および／またはセグメント化コンテンツを提供することを示す。
【図１６Ｂ】図１６Ｂは、本発明の実施形態により、ＷＣＳ−ＷＣＡＰを介してウェブページでＩｆｒａｍｅを利用し、編集可能領域および／またはセグメント化コンテンツを提供することを示す。
【図１６Ｃ】図１６Ｃは、本発明の実施形態により、ＷＣＳ−ＷＣＡＰを介してウェブページでＩｆｒａｍｅを利用し、編集可能領域および／またはセグメント化コンテンツを提供することを示す。
【図１６Ｄ】図１６Ｄは、本発明の実施形態により、ＷＣＳ−ＷＣＡＰを介してウェブページでＩｆｒａｍｅを利用し、編集可能領域および／またはセグメント化コンテンツを提供することを示す。
【００４５】
【図１７】図１７は、本発明の実施形態を採用することのできるネットワーク環境を示す。
【００４６】
【図１８】図１８は、図１７に示し本発明の実施形態をサポートするネットワークへの通信をサポートする無線携帯電子装置を示す。
【発明を実施するための形態】
【００４７】
本発明は、インターネットコンテンツの生成、特に、ウェブページ、ウェブアプリ、ウェブサイトの取得、修正、生成用の改良ツールに関する。以下の説明は例示的な実施形態のみを提示し、本開示の範囲、適用可能性、または構造を限定することを目的としていない。むしろ、以下の例示的な実施形態の説明は、例示的な実施形態を実行するための説明を当業者に提供する。添付の請求項に記載される精神と範囲を逸脱せずに、構成要素の機能および配置に様々な変更を加えることができると理解される。
【００４８】
本明細書で使用されるとき、「携帯電子装置」（ＰＥＤ）は本開示全体を通じて、通信に利用される無線装置、および電力用のエネルギーの形式とは関係なくバッテリなどを必要とするその他のアプリケーションを指す。これは、携帯電話、スマートフォン、携帯情報端末（ＰＤＡ）、携帯コンピュータ、ポケベル、携帯マルチメディアプレーヤ、携帯ゲーミングコンソール、ラップトップコンピュータ、タブレットコンピュータ、電子リーダなどの装置を含むが、それらに限定されない。
【００４９】
本明細書で使用されるとき、「固定電子装置」（ＦＥＤ）は本開示全体を通じて、通信や、電力を得るために固定インタフェースへの接続を必要とするその他の用途に使用される無線および／または有線装置を指す。これは、ラップトップコンピュータ、パーソナルコンピュータ、コンピュータサーバ、キオスク、ゲーミングコンソール、デジタルセットトップボックス、アナログセットトップボックス、インターネット対応装置、インターネット対応テレビ、マルチメディアプレーヤなどを含むが、それらに限定されない。
【００５０】
本明細書で使用されるとき、「アプリケーション」（一般的には「アプリ」と称する）は、「ソフトウェアアプリケーション」、「ソフトウェアスイート」の１要素、個人がアクティビティを実行できるように設計されたコンピュータプログラム、電子装置がアクティビティを実行できるように設計されたコンピュータプログラム、構内および／または遠隔電子装置と通信するように設計されたコンピュータプログラムを指す場合があるが、それらに限定されない。よって、アプリケーションは、（コンピュータを動かす）オペレーティングシステム、（保全または汎用仕事を実行する）ユーティリティ、（コンピュータプログラムを作成する）プログラミングツールとは異なる。概して、本発明の実施形態に関する以下の説明では、アプリケーションはＰＥＤおよび／またはＦＥＤに永久的におよび／または一時的にインストールされるソフトウェアとして提供される。
【００５１】
本明細書で使用されるとき、「ウェブアプリケーション」（一般的には「ウェブアプリ」または「ウェブアプ」と称する）は、インターネットまたはイントラネットなどのネットワーク上でユーザによってアクセスされ、ウェブブラウザで実行されて、あるいは、たとえば、ＪａｖａＳｃｒｉｐｔ、ＨＴＭＬ、ＣＳＳの組み合わせなどのブラウザ支援プログラミング言語で作成されて、ウェブブラウザに頼って実行可能なアプリケーションをレンダーするアプリケーションソフトウェアを指す場合があるが、これに限定されない。これはウェブメール、オンライン小売、オンラインオークション、ソーシャルネットワーク、ソーシャルメディア、ウィキ、掲示板、オフィスソフトウェア（たとえば、ワードプロセッサ、オンラインスプレッドシート、プレゼンテーションツール）、プロジェクト管理、コンピュータ支援設計、映像編集、マルチメディアコンテンツプレゼンテーション、ＰＯＳアプリケーションなどのウェブアプリを含むが、それらに限定されない。
【００５２】
本明細書で使用されるとき、「ウェブブラウザ」（一般的には「ブラウザ」と称する）は、イントラネットのウェブサーバ、構内ネットワーク、またはファイルシステム内のファイルを介してアクセス可能である、ワールドワイドウェブやインターネット上の情報リソースなどの情報リソースを検索、表示、横断するためのソフトウェアアプリケーションを指す場合があるが、これに限定されない。情報リソースは通常、ユニフォームリソース識別子／ユニフォームリソースロケータ（ＵＲＩ／ＵＲＬ）によって特定され、たとえば、ウェブページ、ウェブサイト、マルチメディアコンテンツ、画像コンテンツ、テキストコンテンツ、またはコンテンツのその他の項目であってもよい。ハイパーリンクが情報リソース内に提示されて、ユーザは容易に関連する情報リソースまでブラウザをナビゲートすることができる。ブラウザはＦｉｒｅｆｏｘＴＭ、Ｉｎｔｅｒｎｅｔ  ＥｘｐｌｏｒｅｒＴＭ、Ｇｏｏｇｌｅ  ＣｈｒｏｍｅＴＭ、ＯｐｅｒａＴＭ、Ａｐｐｌｅ  ＳａｆａｒｉＴＭを含むが、それらに限定されない。
【００５３】
本明細書で使用されるとき、「ウェブページ」（または「ウェブ  ページ」）は、ワールドワイドウェブとウェブブラウザに適したウェブ文書を指す場合があるが、これに限定されない。ウェブブラウザは、ＰＥＤおよび／またはＦＥＤに関連付けられるウェブページをディスプレイに表示する。ウェブページは表示するものであるが、この文言は通常はＨＴＭＬまたは類似のマーク付け言語で記述されるコンピュータファイルを指し、主な違いはリンクを介して他のウェブページにナビゲートするハイパーテキストを提供することである。ウェブブラウザは、記述されたウェブページにスタイルシート、スクリプト、画像などのウェブリソースを配置して、ウェブページを提示する。ネットワーク上で、ウェブブラウザは遠隔ウェブサーバからウェブページを検索することができる。より上位では、ウェブサーバは企業イントラネット内の構内ネットワークのみにアクセスを制限する、あるいは、ワールドワイドウェブへのアクセスを提供することができる。より下位では、ウェブブラウザはハイパーテキスト転送プロトコル（ＨＴＴＰ）を使用してリクエストを行う。静的ウェブページはウェブサーバのファイルシステム内のウェブコンテンツとして保存されたままで提供される一方、動的ウェブページはサーバ側ソフトウェアまたはクライアント側スクリプティングによって駆動されるウェブアプリケーションによって生成される。動的ウェブページの助けで、ブラウザ（クライアント）はサーバに入力するユーザを通じてウェブページを強化する。ウェブページは実質上、文書であり、通常はプレーンテキストで記述され、個々に、または適切なマーク付けアンカーを介して他のウェブサイトからのエレメントを導入して、ＨＴＭＬおよび／またはＸＨＴＭＬのフォーマット命令が差し込まれる。
【００５４】
本明細書で使用されるとき、「ウェブサイト」（「ウェブ  サイト」または単に「サイト」としても知られる）は、単独のウェブドメインから提供される１セットの関連ウェブページを指す場合があるが、これに限定されない。ウェブサイトは、ＵＲＬを通じてインターネットまたは構内ローカルエリアネットワークなどのネットワークを介してアクセス可能な少なくとも１つのウェブサーバをホストとする。すべての公的にアクセス可能なウェブサイトは、まとまってワールドワイドウェブを構成する。ウェブサイトのウェブページは、任意で暗号化（ＨＴＴＰ  Ｓｅｃｕｒｅ、ＨＴＴＰＳ）を採用し、ウェブページコンテンツのユーザにセキュリティとプライバシーを提供するハイパーテキスト転送プロトコル（ＨＴＴＰ）を用いてアクセスされ移送されるウェブページである。ユーザのアプリケーション、通常、大抵の場合、ウェブブラウザは、ＨＴＭＬマーク付け命令に従ってディスプレイ端子上にページコンテンツをレンダーする。ウェブページ（または単にページ）は、任意で暗号化（ＨＴＴＰ  Ｓｅｃｕｒｅ、ＨＴＴＰＳ）を採用し、ウェブページコンテンツのユーザにセキュリティとプライバシーを提供するハイパーテキスト転送プロトコル（ＨＴＴＰ）を用いてアクセスされ移送される。ユーザのアプリケーション、通常、ウェブブラウザは、ＨＴＭＬマーク付け命令に従ってディスプレイ端子上にページコンテンツをレンダーする。ウェブサイトのウェブページ（または単にページ）はふつう、一般的にウェブアドレスと称される単独のＵＲＬとすることができる。ウェブページのＵＲＬはウェブページを階層に組織化するが、ウェブページ間のハイパーリンキングは読者の認知するサイト構造を伝え、サイトの読者のナビゲーションを誘導し、サイトは通常、サイトのウェブコンテンツへのリンクの大半を備えるホームページを含む。また、各ウェブページは、一意のＵＲＬを通じて直接アクセスすることもできる。ウェブサイトはたとえば、無料ウェブサイト、定期購読ウェブサイト、ビジネスウェブサイト、ニュースウェブサイト、学会誌ウェブサイト、ゲーミングウェブサイト、ファイル共有ウェブサイト、掲示板、ウェブベースのｅメール、ソーシャルネットワーキングウェブサイト、サービスプロバイダウェブサイト、企業ウェブサイト、ユーザェブサイト、画像、ファイルなどを保存および／または共有するウェブサイトを含むが、これらに限定されない。
【００５５】
本明細書で使用されるとき、「クラウド」は、プログラムまたはアプリケーションを多数の接続されたコンピュータ上で同時に動作させることのできるネットワーク上での分散コンピューティングに関連する「クラウドコンピューティング」を指す場合があるが、これに限定されない。概して、クラウドとは、インターネット、イントラネット、ローカルエリアネットワーク（ＬＡＮ）、または広域ネットワーク（ＷＡＮ）などの通信ネットワークによって接続されるサーバと一般的に称されるコンピューティングハードウェアマシンまたはコンピューティングハードウェアマシン群を指す。したがって、「クラウド」または「クラウドで」は、ソフトウェア、プラットフォーム、インフラストラクチャが「サービスとして」、すなわち、インターネットを通じて遠隔から提供／販売されるインターネットの隠喩である。クラウドコンピューティングサービスの一般的モデルは、サービスとしてのソフトウェア（ＳａａＳ）、サービスとしてのプラットフォーム、サービスとしてのインフラストラクチャとして知られる。これらのクラウドサービスは公的、私的、またはハイブリッドネットワークで提供することができる。
【００５６】
本明細書で使用されるとき、「ソーシャルネットワーク」または「ソーシャルネットワーキングサービス」は、たとえば、興味、活動、背景、または現実社会の関係を共有することのできる人々の間でソーシャルネットワークまたは社会関係を構築することのできるプラットフォームを指す場合があるが、これに限定されない。これは、ＥｖｅｎＢｒｉｔｅ、Ｆａｃｅｂｏｏｋ、Ｆｌｉｃｋｅｒ、Ｇｏｏｇｌｅ＋、Ｉｎｓｔａｇｒａｍ、ＬｉｎｋｅｄＩｎ、Ｐｉｎｔｅｒｅｓｔ、Ｔｕｍｂｌｒ、Ｔｗｉｔｔｅｒ、Ｖｉｍｅｏ、Ｖｉｎｅ、ＹｏｕＴｕｂｅ（登録商標）などの米国ベースのサービスだけでなく、Ｎｅｘｏｐｉａ、Ｂａｄｏｏ、Ｂｅｂｏ、Ｄｅｌｐｈｉ、Ｇｌｏｃａｌｓ、Ｈｉ５、Ｈｙｖｅｓ、ｉＷｉＷ、Ｍｉｘｉ、Ｎａｓｚａ−Ｋｌａｓａ、Ｓｋｙｒｏｃｋ、Ｓｏｕｐ、Ｔｈｅ  Ｓｐｈｅｒｅ、ＳｔｕｄｉＶＺ、Ｔａｇｇｅｄ、Ｔｕｅｎｔｉ、ＶＫｏｎｔａｋｔｅ、ＸＩＮＧ、Ｏｒｋｕｔ、Ｍｘｉｔ、Ｃｙｗｏｒｌｄ、ｒｅｎｒｅｎ、ｗｅｉｂｏ、Ｗｒｅｔｃｈなどのソーシャルネットワークを含むが，これらに限定されない。
【００５７】
本明細書で使用されるとき、「ソーシャルメディア」または「ソーシャルメディアサービス」は、人々が仮想コミュニティおよびネットワーク内で情報およびアイデアを作成、共有、および／または交換する対話手段を指す場合があるが、これに限定されない。これは、雑誌、インターネットフォーラム、ウェブブログ、ソーシャルブログ、ミニブログ、ウィキ、ソーシャルネットワーク、ポッドキャスト、写真または画像、映像、格付けおよびソーシャルブックマーキングに関連するソーシャルメディアサービスだけでなく、ブログ作成、画像共有、映像ログ、ウォール投稿、音楽共有、クラウドソーシング、ボイスオーバＩＰを利用するサービスを含むが、これらに限定されない。ソーシャルメディアサービスは、共同プロジェクト（たとえば、Ｗｉｋｉｐｅｄｉａ）；ブログおよびマイクロブログ（たとえば、ＴｗｉｔｔｅｒＴＭ）；コンテンツコミュニティ（たとえば、ＹｏｕＴｕｂｅおよびＤａｉｌｙＭｏｔｉｏｎ）；ソーシャルネットワーキングサイト（たとえば、ＦａｃｅｂｏｏｋＴＭ）；仮想ゲーム界（たとえば、Ｗｏｒｌｄ  ｏｆ  ＷａｒｃｒａｆｔＴＭ）；仮想社会的世界（たとえば、Ｓｅｃｏｎｄ  ＬｉｆｅＴＭ）などに分類することができる。
【００５８】
本明細書で使用されるとき、「企業」は、ユーザ、顧客、または消費者へのサービスおよび／または製品のプロバイダを指す場合があるが、これに限定されない。企業は、小売店、店舗、市場、オンライン市場、製造業者、オンライン小売業者、慈善団体、ユーティリティ、サービスプロバイダを含むが、これらに限定されない。上記の企業は、会社によって直接所有および管理することができる、あるいは、フランチャイザの支持および管理下でフランチャイズ加盟店によって所有および運営することができる。
【００５９】
本明細書で使用されるとき、「サービスプロバイダ」は、企業および／または個人および／または個人群および／またはマイクロプロセッサを備える装置にサービスおよび／または製品を提供する第三者プロバイダを指す場合があるが、これらに限定されない。サービスプロバイダは、小売店、店舗、市場、オンライン市場、メーカー、オンライン小売店、ユーティリティ、自家ブランドプロバイダ、サービスプロバイダを含むが、これらに限定されず、サービスおよび／または製品が、サービスプロバイダ単独で、またはサービスプロバイダと共に企業によって取引、販売、提供、および流通される。
【００６０】
本明細書で使用されるとき、「第三者」または「第三者プロバイダ」は、企業および／または個人および／または個人群および／またはマイクロプロセッサを備える装置にサービスおよび／または製品を提供するいわゆる「独立当事者間の」プロバイダを指す場合があるが、これらに限定されず、消費者および／または顧客は第三者と契約するが、消費者および／または顧客が関係する、および／または購入する、および／または受け取る実際のサービスおよび／または製品は企業および／またはサービスプロバイダを通じて供給される。
【００６１】
本明細書で使用されるとき、「ユーザ」は、ユーザに対して生体測定データを局所的または遠隔から監視、取得、保存、送信、処理、分析することができる個人または個人群を指す場合があるが、これに限定されず、ユーザはサービスプロバイダ、第三者プロバイダ、企業、ソーシャルネットワーク、ソーシャルメディアなどと契約して、ダッシュボード、ウェブサービス、ウェブサイト、ソフトウェアプラグイン、ソフトウェアアプリケーション、グラフィカルユーザインタフェースを介して電子コンテンツなどを取得する。ユーザは、私人、団体および／または企業の従業員、社会事業団体のメンバー、慈善団体のメンバー、男性、女性、子供、ティーンエージャを含むが、これらに限定されない。
【００６２】
本明細書で使用されるとき、「電子コンテンツ」（「コンテンツ」または「デジタルコンテンツ」とも称する）は、保存、送信、受信、および／または変換されるときにデジタルデータの形状で存在する任意の種類のコンテンツを指す場合があるが、これに限定されず、これらのステップのうちの１つ以上はアナログとすることができるが、通常はデジタルである。デジタルコンテンツの形式は、個別のファイルでデジタル形式で一斉送信される、ストリーミングされる、あるいは含まれる情報を含むが、これに限定されない。具体的には、デジタルコンテンツの種類は、ＨＴＭＬ、ＣＳＳ、ＪａｖａＳｃｒｉｐｔ、ＸＭＬ、ＳＶＧ、ＣＳＶ、ＭＰ３、ＪＰＧ、ＡＶＩ、ＴＩＦＦ、ＡＡＣ、ＴＸＴ、ＲＴＦ、ＨＴＭＬ、ＸＨＴＭＬ、ＰＤＦ、ＸＬＳ、ＳＶＧ、ＷＭＡ、ＭＰ４、ＦＬＶ、ＰＰＴなどの一般的な媒体種類を含む。たとえば、ｈｔｔｐ：／／ｅｎ．ｗｉｋｉｐｅｄｉａ．ｏｒｇ／ｗｉｋｉ／Ｌｉｓｔ＿ｏｆ＿ｆｉｌｅ＿ｆｏｒｍａｔｓを参照されたい。より広範なアプローチでは、デジタルコンテンツは、任意の種類のデジタル情報、たとえば、デジタル更新される天気予報、ＧＰＳ地図、電子ブック、写真、映像、ＶｉｎｅＴＭ、ブログの投稿、ＦａｃｅｂｏｏｋＴＭの投稿、ＴｗｉｔｔｅｒＴＭのツイート、オンラインＴＶなどを含むことができる。デジタルコンテンツは、ユーザの要求に応答して少なくとも生成、選択、作成、修正、または送信される任意のデジタルデータとすることができ、前記要求は問い合わせ、検索、トリガ、警告、メッセージなどであってもよい。
【００６３】
本明細書で使用されるとき、「コンテンツ情報」の言及は、コンテンツ特徴、コンテンツ提供制約条件、コンテンツ特徴またはコンテンツ提供制約条件から得られる情報（「コンテンツ由来情報」と称される）、および／またはコンテンツに関連する情報（「コンテンツ関連情報」と称される）、上記情報の拡張（たとえば、コンテンツ関連情報から得られる情報）の任意の組み合わせを指す場合があるが、これに限定されない。
【００６４】
本明細書で使用されるとき、「文書」の言及は、機械可読および機械保存可能作業成果物を指す場合があるが、これに限定されない。文書は、ファイル、ファイルの組み合わせ、他のファイルへのリンクを埋め込んだ１つ以上のファイルとすることができる。ファイルは、テキスト、音声、画像、映像などの任意の種類とすることができる。エンドユーザに対してレンダーされる文書の一部は、文書の「コンテンツ」と考えることができる。文書は、コンテンツ（単語、画像など）と、そのコンテンツの意味の表示（たとえば、ｅメールフィールドと関連データ、ＨＴＭＬタグ、関連データなど）の両方を含む「構造データ」を含む。インターネットのコンテキストでは、一般的な文書はウェブページである。ウェブページは、コンテンツを含むことが多く、埋込み情報（メタ情報、ハイパーリンクなど）および／または埋込み命令（Ｊａｖａｓｃｒｉｐｔなど）を含むことができる。多くの場合、文書は、一意のアドレス指定可能な記憶位置を有するため、ユニバースリソースロケータ（ＵＲＬ）などのアドレス指定可能な位置によって一意に特定することができ、たとえば、インターネット上の情報にアクセスするのに使用される一意のアドレスとして利用される。
【００６５】
本明細書で使用されるとき、「ウィジェット」の言及は、１つ以上の異なるソフトウェアプラットフォームに対して作成される比較的簡易で使いやすいソフトウェアアプリケーションまたはそのコンポーネントを指す場合があるが、これに限定されない。よって、ウィジェットは、自動的にまたは制限されたユーザとの対話内で、１つ以上のタスクを実行し、一時的な付属アプリケーションとしての役割を果たすことができる。上記ウィジェットは、個別にまたは組み合わせてより複雑なアプリケーションを構築することのできる再利用可能なモジュール式コンポーネントを提供するグラフィカル制御エレメント（グラフィカルユーザインタフェース（ＧＵＩ）ウィジェット）を含む場合があるが、これに限定されない。
【００６６】
本発明の実施形態に関する後述の説明において、１つのウェブページ、１つのウェブアプリ、１つのウェブサイト、複数のウェブページ、複数のウェブアプリ、複数のウェブサイトについて言及する。これらの文言は対応する意味で採用されているが、当業者にとって自明であるように、これらの文言を利用するワールドワイドウェブ、インターネット、または構内ネットワークの多くの側面において、これらの文言は互換可能である、および／または複数の文言を単独の項目に適用することができる。たとえば、単独のウェブページを表示するウェブアプリは、ＵＲＬを通じてアクセスされた場合、単独のウェブページと同様にウェブサイトと称される場合がある。したがって、下記の説明において、このような文言の使用は、上記文言の技術および関連技術内での互換性により最大範囲で解釈すべきである。
【００６７】
本明細書で使用されるとき、「ドキュメントオブジェクトモデル」（ＤＯＭ）の言及は、ハイパーテキストマーク付け言語（ＨＴＭＬ）、拡張ＨＴＭＬ（ＸＨＴＭＬ）、拡張マーク付け言語（ＸＭＬ）文書内のオブジェクトを表示し、該オブジェクトと対話するクロスプラットフォームおよび言語に依存しない規則を指す場合があるが、これに限定されない。たとえば、ＤＯＭは、ＤＯＭツリーと呼ばれるツリー構造で組織化されるノードを示し、ＤＯＭツリー内のオブジェクトは、オブジェクトに関する方法を用いて対処および操作することができる。通常、ＤＯＭの公的インタフェースはアプリケーションプログラミングインタフェース（ＡＰＩ）に明示される。
【００６８】
本明細書で使用されるとき、「ブックマークレット」は、新たな特徴をブラウザに追加するコマンド、通常はＪａｖａＳｃｒｉｐｔコマンドを含む、ウェブブラウザ内に記憶されるブックマークを指す場合があるが、これに限定されない。ブックマークレットは概して、ウェブブラウザ内のブックマークのＵＲＬまたはウェブページ上のハイパーリンクとして記憶される控えめなＪａｖａＳｃｒｉｐｔである。ブックマークレットはふつうＪａｖａＳｃｒｉｐｔプログラムであり、ブックマークレットユーティリティがブックマークとして記憶されるか、またはハイパーリンクとして記憶されるかにかかわらず、ブラウザまたはウェブページにワンクリック機能を追加する。クリックされると、ブックマークレットは検索クエリの実行、表からデータの抽出、オプションメニューの提供などの幅広い動作のうちの１つを実行することができる。たとえば、ウェブページ上のテキストの選択後にブックマークレットをクリックすることで、選択されたテキストでインターネットを実行し、サーチエンジン結果ページを表示することができる。
【００６９】
図１〜１８と本明細書に関する以下の説明では、ウェブコンテンツシステムとウェブコンテンツアプリケーション／プラットフォーム（ＷＣＳ−ＷＣＡＰ）について言及する。本明細書で使用されるとき、ＷＣＳ−ＷＣＡＰは、ウェブブラウザと併せて、ユーザがアクセス、編集、修正、補正、追加、削除、フォーマット、再フォーマットを含むがそれらに限定されないウェブページコンテンツのアクションを実行することができるソフトウェアアプリケーションを指す場合があるが、これに限定されない。ＷＣＳ−ＷＣＡＰは、現場でまたは１つ以上のネットワークを通じてユーザにアクセス可能となるワールドワイドウェブ（ＷＷＷ）上の情報リソースを検索、表示、横断することができる。したがって、ＷＣＳ−ＷＣＡＰは、ブラウザがＰＥＤおよび／またはＦＥＤで開放されＰＥＤおよび／またはＦＥＤで実行される別個のソフトウェアアプリケーション、ブラウザプラグイン、ブラウザをオープンすることができるアプリケーションを含むが、これらに限定されない。
【００７０】
本発明の後述の実施形態において、実現可能な場合、ユーザがウェブページ／ウェブコンテンツと対話して、今日の各種ソフトウェアツールからユーザに慣れ親しんだコマンド、ツールなどを利用して直感的に作業することができる「Ｗｈａｔ  Ｙｏｕ  Ｓｅｅ  ｉｓ  Ｗｈａｔ  Ｙｏｕ  Ｇｅｔ（見たままが得られる）」（ＷＹＳＩＷＩＧウィジウィグ）ツールセットをユーザに提供することを目的とする。しかしながら、本発明のハイパーテキストマーク付け言語（ＨＴＭＬ）の概念と知識に関するいくつかの拡張は、上記知識によってユーザにさらに使い易さを提供することができる。本発明の実施形態は、様々な程度、ウィジウィグではないことが自明であろう。しかしながら、本発明の実施形態の多くに共通するように、ユーザが作業するウェブコンテンツはすぐに「公開され」、ユーザがコンテンツを閉じる、あるいはＷＣＳ−ＷＣＡＰを出ると、他のユーザによってオンラインでアクセス可能になる。よって、本発明の実施形態は、通常は従来技術内の２つ以上のアプリケーションと置き換わるＷＣＳ−ＷＣＡＰの要素を提示し、コンテンツ作成、画像生成、ウェブページ生成、ウェブ公開が特定の特徴と要件を有する別々のソフトウェアツールである。
【００７１】
図１Ａ〜１Ｃは、本発明の実施形態により、ユーザがＷＣＳ−ＷＣＡＰを介してドキュメントオブジェクトモデル（ＤＯＭ）を編集することによってウェブページのフォントを変更する第１のスクリーンショット画像１００Ａ〜第３のスクリーンショット画像１００Ｃを示す。したがって、図示するように、
・図１Ａの第１のスクリーンショット画像１００Ａでは、ユーザはＷＣＳ−ＷＣＡＰ内のウェブページを開き、テキスト１１０「Ｈｅｌｌｏ  ｔｈｅｒｅ」の項目を選択した後、領域１２０として示されるＤＯＭを表示するように選択しているため、テキスト１１０に関連するＤＯＭの部分がバー１３０によって表示され、スタイルフィールド１４０は「Ｈｅｌｖｅｔｉｃａ」フォントとして示される。
・図１Ｂの第２のスクリーンショット画像１００Ｂでは、ユーザはスタイルフィールド１４０を部分フィールド１５０「ｒｏｂｏ」としてタイプしなおし始めている。
・図１Ｃの第３のスクリーンショット画像１００Ｃでは、ユーザは、この時点ではサポートされていなかったフォントであり、新たなフィールド１６０で希望するフォントの名称、この場合は「ｒｏｂｏｔｏ」のタイプを終え、ＷＣＳ−ＷＣＡＰを起動して、ポップアップアイコン１７０「新たなフォント」によって示されるように、１つ以上のオンラインフォントリポジトリを検索しフォントをロードしている。テキストの項目は現在、新たなフォントで新たなテキスト１８０として表示されている。
【００７２】
したがって、本発明の実施形態によるＷＣＳ−ＷＣＡＰはＤＯＭ内でユーザのアクションを自動的に監視し、背景で自動的に実行され完了されるアクションをトリガする。このように、本発明の実施形態によって、テキストの項目に関して新たなフォントを選択するプロセスは、ユーザにとってＤＯＭで新たなフォント名をタイプすることに置き換えられる。対照的に、ＷＣＳ−ＷＣＡＰはインストールされていないフォントを特定し、配置し、インストールし、適用する。ＷＣＳ−ＷＣＡＰが動作しているシステムやネットワークアクセスなどに応じて、これは１秒の何分の１内で実行され、ユーザにはほぼ認知されない。
【００７３】
図２Ａ〜２Ｃは、本発明の実施形態により、ＷＣＳ−ＷＣＡＰを介して別のウェブページから直接コピーペーストすることによって、ウェブページ内に新たなフォントをロードし使用することに関連する第１のスクリーンショット画像２００Ａ〜第３のスクリーンショット画像２００Ｃを示し。したがって、図示するように、
・図２Ａの第１のスクリーンショット画像２００Ａでは、ウェブページ内で作成される、および／または編集される（明瞭化のため図示せず）新たなフォントを使用したいと考える際、ユーザがＷＣＳ−ＷＣＡＰを利用しながら新たなブラウザウィンドウを開き、フォントライブラリ、この場合はＧｏｏｇｌｅＴＭのフォントにナビゲートされ、スクロールして、採用したいフォント２１０を発見している。
・図２Ｂの第２のスクリーンショット画像２００Ｂでは、ユーザは、希望するフォントで表示されるテキストの一部２２０を選択し、コピーする。
・図２Ｃの第３のスクリーンショット画像２００Ｃでは、ユーザは、作業しているウェブページ内の新たなテキスト２３０として選択された／コピーされた部分２２０をペーストし、ＷＣＳ−ＷＣＡＰはポップアップアイコン２４０「新たなフォント」を通じて新たなフォントとしてフォントを特定し、テキストの項目は現在、新たなフォントで新たなテキスト２３０として表示されている。
【００７４】
したがって、本発明の実施形態によるＷＣＳ−ＷＣＡＰは、他のウィンドウ内のユーザのアクションを自動的に監視し、コピーしたテキストに関連付けられるＤＯＭからプロパティが分かると、背景で自動的に実行され完了されるアクションをトリガする。このように、本発明の実施形態によって、テキストの項目に関して新たなフォントを選択するプロセスは、新たなフォントでテキストの項目を発見し、コピーペーストすることに置き換えられる。対照的に、ＷＣＳ−ＷＣＡＰはコピーされたフォントを特定し、インストールされていないフォントを特定し、インストールし、適用する。ＷＣＳ−ＷＣＡＰが動作しているシステムやネットワークアクセスなどに応じて、これは１秒の何分の１内で実行され、ユーザにはほぼ認知されない。
【００７５】
図１Ａ〜２Ｃに示す本発明の実施形態では、ウィジウィグウェブコンテンツエディタ内のユーザのタスクの自動化および簡易化に焦点を当てる。ユーザがウェブコンテンツを閉じ、保存し、ＷＣＳ−ＷＣＡＰなどを出るとすぐに、修正コンテンツは、追加のパブリッシングやフォーマッティングなどなしにオンラインで利用可能になる。自明であるように、本発明のいくつかの実施形態では、ユーザはアクセスし利用するためにフォントの権利を取得することが必要な場合がある。本発明のいくつかの実施形態では、ＷＣＳ−ＷＣＡＰは、ユーザが必要なログインとアクセス資格情報と共にアクセスすることができるフォントファウンドリやフォントリソースなどのリポジトリのリストを保持することができる、あるいは、登録および／または購入を必要とするリソースリポジトリにアクセスする、あるいは無償で直接抽出する前に、上記のリソースリポジトリを優先的に検索することができる。図２Ａ〜２Ｃに示す例では、リソースは登録および／または支払を要求する場合があり、これらのプロセスは自動的に実行され、（ａ）ユーザが最初にサイトにアクセスすると、登録プロセスが完了する、（ｂ）ユーザが項目をコピーすると、請求／支払プロセスが自動的に進行する。任意で、これらのステップのうちの１つ以上を完了するようにユーザに促すことができる。
【００７６】
図３は、本発明の実施形態により、ＷＣＳ−ＷＣＡＰを介してウィジェットをウェブページに挿入することによって、ウェブページ内に新たなフォントをロードし使用することに関する第１のスクリーンショット画像３００Ａ〜第４のスクリーンショット画像３００Ｄを示す。したがって、図示するように、
・図３Ａの第１のスクリーンショット画像３００Ａでは、ユーザはウェブページ３１０にアクセスし、そこで作業しており、ＰＥＤおよび／またはＦＥＤのウィジェットフォルダ３２０にアクセスし（しかし、本発明の他の実施形態では、ウィジェットのウィジェットフォルダまたはオンライン小売ソースに遠隔でアクセスすることができる）、ウィジェット３３０「３ｃｏｌｕｍｎ−ｌａｙｏｕｔ．ｗｉｄｇｅｔ．ｈｔｍｌ」を選択している。
・図３Ｂの第２のスクリーンショット画像３００Ｂでは、ユーザは、アクティブウィジェット３４０としてウェブページに選択されたウィジェット３３０をドロップしていない。
・図３Ｃの第３のスクリーンショット画像３００Ｃでは、ウェブページ３２０にドロップされたアクティブウィジェット３４０は、ヘッダーとロードした３つの新たなフォントを有する３段組セクション３５０を実行し生成している。
・図３Ｄの第４のスクリーンショット画像３００Ｄでは、３段組セクション３５０内のテキストに関連付けられるポップアップパレット３７０が、新たにインストールされた「Ｄｒｏｉｄ  Ｓａｎｓ」、「Ｉｎｄｉｅ  Ｆｌｏｗｅｒ」、「Ｒａｌｅｗａｙ」を含むフォント３８０のリストを表示している。
【００７７】
したがって、図３Ａ〜３Ｄでは、本発明の実施形態は、ウィジウィグウェブコンテンツエディタ内のユーザのタスク、この場合、３つの異なるフォントを用いてヘッダーを有する３段組レイアウトを設定することの自動化および簡易化に焦点を当てる。本発明の他の実施形態と同様、ユーザがウェブコンテンツを閉じ、保存し、ＷＣＳ−ＷＣＡＰなどを出ると、修正コンテンツは、追加のパブリッシングやフォーマッティングなどなしにオンラインで利用可能になる。したがって、チームはオープンパブリケーション前に共同でウェブコンテンツの作業を行うことができる、あるいは、ユーザはエレメントを迅速に補正して、リフォーマッティングで情報を追加することができる。本発明のいくつかの実施形態では、ユーザはアクセスし利用するためにフォントおよび／またはウィジェットの権利を取得することが必要な場合がある。本発明のいくつかの実施形態では、ＷＣＳ−ＷＣＡＰは、ユーザが必要なログインとアクセス資格情報と共にアクセスすることができるウィジェットライブラリ、ウィジェットファウンドリ、フォントファウンドリ、フォントリソースなどのリポジトリのリストを保持することができる、あるいは、登録および／または購入を必要とするリソースリポジトリにアクセスする、あるいは無償で直接抽出する前に、上記のリソースリポジトリを優先的に検索することができる。図３Ａ〜３Ｄに示す例では、リソースは登録および／または支払を要求する場合があり、これらのプロセスは自動的に実行され、（ａ）ユーザが最初にサイトにアクセスすると、登録プロセスが完了する、（ｂ）ユーザが項目をコピーすると、請求／支払プロセスが自動的に進行する。任意で、これらのステップのうちの１つ以上を完了するようにユーザに促すことができる。
【００７８】
図４Ａ〜４Ｃは、本発明の実施形態により、ＷＣＳ−ＷＣＡＰを介してインターネット検索を開始するホットキーによって新たなフォントをロードしインストールすることに関する第１のスクリーンショット画像４００〜第３のスクリーンショット画像４００Ｃを示す。したがって、図示するように、
・図４Ａの第１のスクリーンショット画像４００Ａでは、ユーザはホットキー機能を選択することによって、アクセスしたいフォントの名称を入力するようにユーザに促すフォントポップアップ４１０をトリガしている。
・図４Ｂの第２のスクリーンショット画像４００Ｂでは、ユーザが第１のスクリーンショット画像４００Ａで「ＯＫ」を入力しヒットした後、ＷＣＳ−ＷＣＡＰは図１Ａ〜１Ｃに示すプロセスと共通して、通知アイコン４２０から自明であるように、特定されたフォントを見つけ出しインストールしている。
・図４Ｃの第３のスクリーンショット画像４００Ｃでは、ユーザは作業中のウェブコンテンツの編集中、パレット４３０にアクセスしており、アクセス可能なフォント４４０のリスト内では現在、オプションとして「Ｉｎｄｉｅ  Ｆｌｏｗｅｒ」が提示されている。
【００７９】
図５Ａ〜５Ｆは、本発明の実施形態により、ＷＣＳ−ＷＣＡＰを介して別のアプリケーションからのペーストアクションを通じてコンテンツのウェブページに直接挿入することに関連する第１のスクリーンショット画像５００Ａ〜第６のスクリーンショット画像５００Ｆを示す。
・図５Ａの第１のスクリーンショット画像５００Ａでは、ユーザはウェブコンテンツを開いているが、画像の編集を望んでいる。
・図５Ｂの第２のスクリーンショット画像５００Ｂでは、ユーザはポップアップダイアログ５１０を通じて、ウェブコンテンツからメモリバッファへ画像をコピーしている。
・図５Ｃの第３のスクリーンショット画像５００Ｃでは、ユーザはグラフィック編集ソフトウェアアプリケーション５２０を開いて、画像５３０をそこにペーストしている。
・図５Ｄの第４のスクリーンショット画像５００Ｄでは、ユーザはグラフィック編集ソフトウェアアプリケーション５２０内で画像を編集して、修正画像５４０を生成している。
・図５Ｅの第５のスクリーンショット画像５００Ｅでは、ＷＣＳ−ＷＣＡＰ内で、ユーザはコンテンツ内の元の画像を取消不能な修正画像５４０と置き換える、あるいは、ポップアップ５５０を介して表示されるオプションを用いて標準的なペーストを実行することができる。
・図５Ｆの第６のスクリーンショット画像５００Ｆでは、修正画像がウェブコンテンツに挿入されており、最初に挿入された画像と同じ倍率などが修正画像に適用されるため、挿入された画像５６０は表示されたウェブページ内では修正画像５４０と異なる結果となる。
【００８０】
したがって、ＷＣＳ−ＷＣＡＰは、本発明の実施形態の範囲内で、コンテンツの既存項目内のコンテンツの取得、ＷＣＳ−ＷＣＡＰおよびブラウザ外の１つ以上のソフトウェアアプリケーション内の修正、従来技術において既知な標準的なペースト動作または本発明の実施形態によりサポートされるペーストのいずれかとしてウェブコンテンツへの再挿入をサポートすることができ、倍率や表示画素の範囲などのＤＯＭ内の元画像に関連するデータが修正画像に適用されるため、ユーザは実行しなかった、あるいは実行したが忘れてしまった一連の元コンテンツ挿入ステップを再現する必要がない。
【００８１】
図６Ａ〜６Ｄは、本発明の実施形態により、ＷＣＳ−ＷＣＡＰを介してドラッグアンドドロップアクションを通じてコンテンツのウェブページに直接挿入することに関連する第１のスクリーンショット画像６００Ａ〜第４のスクリーンショット画像６００Ｄを示す。
・図６Ａの第１のスクリーンショット画像６００Ａでは、ユーザはＷＣＳ−ＷＣＡＰの実行中、画像６１０を備えるウェブコンテンツを開いている。
・図６Ｂの第２のスクリーンショット画像６００Ｂでは、ユーザは画像６１０を選択し、目標画像６３０を含む画像６２０のフォルダを開いており、フォルダはＰＥＤおよび／またはＦＥＤ、遠隔アクセスフォルダ、オンラインフォルダ、または本発明の他の実施形態では、画像のオンライン小売ソースに置くことができる。
・図６Ｃの第３のスクリーンショット画像６００Ｃでは、ユーザは目標画像６３０をドラッグドロップした結果、ＷＣＳ−ＷＣＡＰは選択された画像６１０を目標画像６４０で置き換えているが、図５に関して説明したように、ＷＣＳ−ＷＣＡＰは、目標画像６４０を挿入する際、自動的にＤＯＭに記憶される選択画像６１０に関する環境を適用している。
・図６Ｄの第４のスクリーンショット画像６００Ｄでは、ウェブコンテンツは現在、目標画像６４０の挿入によって補正されている。
【００８２】
図７Ａおよび７Ｂは、本発明の実施形態により、ＷＣＳ−ＷＣＡＰを介して別のウェブページからのコピーペーストアクションを通じてコンテンツのウェブページを直接挿入することに関連する第１のスクリーンショット画像７００Ａおよび第２のスクリーンショット画像７００Ｂを示す。したがって、図示するように、
・図７Ａの第１のスクリーンショット画像７００Ａでは、ユーザは実行中のＷＣＳ−ＷＣＡＰで、ウェブページ、この場合はビールに関するＧｏｏｇｌｅＴＭの検索結果にアクセスしており、選択された画像７１０をポップアップメニュー７２０を通じて、ＷＣＳ−ＷＣＡＰのアクセス方法に従って、ＰＥＤおよび／またはＦＥＤおよび／またはクラウド記憶装置内のメモリバッファにコピーしている。
・図７Ｂの第２のスクリーンショット画像７００Ｂでは、ユーザは作業しているコンテンツに関連するウェブページ内で、「ＣＴＲ  Ｖ」または「ＣＯＭＭＡＮＤ  Ｖ」機能を介して、ユーザが作業しているコンテンツを閉じた直後の即時のパブリッシングおよびインターネットアクセスのために取得画像７３０をウェブコンテンツにペーストしている。
【００８３】
任意で、ユーザが１枚の画像または複数の画像を検索して取得するとき、ユーザはライセンシングおよび／または購入を必要とする画像を選択する場合がある。設定されるＷＣＤＳ−ＷＣＡＰの構造に応じて、これは背景プロセスとして自動的に実行されることがあるため、取得／支払がユーザにとって明白ではない、もしくは、ユーザは、取引を認証するためにユーザに関連する１つ以上の資格情報の提出を含め、認可／許可を提供するように求められることがある。もしくは、ユーザに画像を選択するときのコスト／ライセンス条件がメッセージとして表示されて、ユーザは画像および／またはコンテンツを選択するか否かを決定することができ、画像は図面内に簡易に表示および提示される。自明なことに、コンテンツ検索／取得および融合／追加されるコンテンツは、テキスト、グラフィック、音楽、音声コンテンツ、マルチメディアコンテンツ、視聴覚コンテンツ、動画ＧＩＦなどを含むことができる。
【００８４】
図８Ａ〜８Ｃは、本発明の実施形態により、ウェブブラウザ内のＷＣＳ−ＷＣＡＰメニューを介してウェブページを直接編集することに関連する第１のスクリーンショット画像８００Ａ〜第３のスクリーンショット画像８００Ｃを示す。したがって、図示するように、
・図８Ａの第１のスクリーンショット画像８００Ａでは、ブラウザ内でユーザは、インターネット上で現在「ライブ」である作成したコンテンツに関連するページにナビゲートされている。
・図８Ｂの第２のスクリーンショット画像８００Ｂでは、ユーザは、ユーザがＷＣＳ−ＷＣＡＰの明示的アプリケーションセッションの外部からＷＣＳ−ＷＣＡＰの特徴を起動することができるブラウザ内のブックマークレット８１０にアクセスしており、この場合、「Ｎｅｗ  Ｐａｇｅ」、「Ｌｏｇｉｎ」、「Ｌｏｇｏｕｔ」、「Ｃｏｐｙ  Ｐａｇｅ」、「Ｅｄｉｔ  Ｐａｇｅ」、「Ｃｈｅａｔ  Ｓｈｅｅｔ」として示される。
・図８Ｃの第３のスクリーンショット画像８００Ｃでは、ユーザは利用可能なオプションから選択しており、第１のコンテンツエレメント８２０と第２のコンテンツエレメント８３０にそれぞれ対応付けられるマーカによって示されるようにウェブページを編集中である。
【００８５】
図９Ａ〜９Ｅは、本発明の実施形態により、ＷＣＳ−ＷＣＡＰを介して選択されたコンテンツでウェブページにドロップされたウィジェットを自動的に実行することに関連する第１のスクリーンショット画像９００Ａ〜第５のスクリーンショット画像９００Ｅを示す。したがって、図示するように、
・図９Ａの第１のスクリーンショット画像９００Ａでは、ユーザはウェブページを設定し、ポラロイドＴＭ（登録商標）の写真として最終的なウェブページに表示したい第１の画像９１０〜第３の画像９３０をこのウェブページに追加している。
・図９Ｂの第２のスクリーンショット画像９００Ｂでは、ユーザはアクションのフォルダ９４０内の「ｐｏｌａｒｏｉｄ．ａｃｔｉｏｎ．ｊｓ」という標題のアクション９５０にアクセスしており、画像を所定のアスペクト比と大きさに縮小し、白い境界を追加し、その結果生じた修正画像を所定の限度内のランダム値だけ回転させることによって、画像をポラロイドＴＭの写真に変換するアクションを実行する。
・図９Ｃの第３のスクリーンショット画像９００Ｃでは、ユーザは第１の画像９１０〜第３の画像９３０のドラッグアクション９６０としてウェブページにアクション９５０をドラッグしている。
・図９Ｄの第４のスクリーンショット画像９００Ｄでは、アクション９５０が第１の画像９１０〜第３の画像９３０のそれぞれに対して実行されて、第１のポラロイド９７０〜第３のポラロイド９９０が生じている。
・図９Ｅの第５のスクリーンショット画像９００Ｅでは、ユーザは「ｐｏｌａｒｏｉｄ．ａｃｔｉｏｎ．ｊｓ」という標題のアクション９５０を開いており、スクリプト内では、第１の処理ブロック９５０Ａと第２の処理ブロック９５０Ｂがすべての選択された画像に作用していることが分かる。第１の処理ブロック９５０Ａでは、画像が所定の幅と高さ（たとえば、幅２７０画素、高さ３００画素）に縮小され、５画素幅の白い境界が３つの側に追加され、５０画素の境界が底部に追加される。第２の処理ブロック９５０Ｂでは、結果として生じた画像が疑似乱数ジェネレータからの帰還値に基づき回転させられる。
【００８６】
図９Ｃの第３のスクリーンショット画像９００Ｃでは、ドラッグアクション９６０は、コンテンツを有する大きな白いボックスとして図示されている。任意で、ドラッグアクション９６０は、アクション９５０の単なる半透明レンダリングまたは従来技術において既知な別の表示手段とすることができる。
【００８７】
図１０Ａ〜１０Ｆは、本発明の実施形態により、ＷＣＳ−ＷＣＡＰを介してウェブページ内で画像操作に関するウィジェットを生成することに関連する第１のスクリーンショット画像１０００Ａ〜第６のスクリーンショット画像１０００Ｅを示す。したがって、図示するように、
・図１０Ａの第１のスクリーンショット画像１０００Ａでは、ユーザは図９Ｄの第４のスクリーンショット画像９００Ｄで設定されるコンテンツ、すなわち、第１のポラロイド９７０〜第３のポラロイド９９０を備えるウェブページにアクセスしている。
・図１０Ｂの第２のスクリーンショット画像１０００Ｂでは、ユーザは画像、この場合、第３のポラロイド９９０を選択し、作業しているコンテンツ内でその画像をサムネイル画像１０１０に縮小している。
・図１０Ｃの第３のスクリーンショット画像１０００Ｃでは、ユーザはサムネイル画像１０１０を選択画像１０２０として選択し、図１０Ｄの第４のスクリーンショット画像１０００Ｄでは、選択画像をペースト画像１０３０として新たなウェブページにペーストしている。
・図１０Ｅの第５のスクリーンショット画像１０００Ｅでは、ユーザは、１セットの利用可能なアクション１０５０から選択されたアクション「ｐｏｒａｄｏｉｄ．ａｃｔｉｏｎ．ｊｓ」１０６０をペースト画像１０３０と関連付けて、アクションアイコン１０４０を生成している。
・図１０Ｆの第６のスクリーンショット画像１０００Ｆでは、完成したアクションアイコン１０７０が示される。
【００８８】
したがって、最終アクションアイコン１０７０は、取得するコンテンツと適用されるプロセスに関してアクション１０５０と同じように挙動する。しかしながら、現在、上記アクションアイコンは、ＷＣＳ−ＷＣＡＰ、アクションレポジトリ、オンラインアクションストアなどの一部を成すだけでなく、画像と共に配信、許諾、および／または取得されるウェブコンテンツの項目の一部を成し、たとえば、ユーザにアクションの機能の視覚的表示を提供することができる。しかしながら、図１１Ａおよび１１Ｃで明らかなように、第１のスクリーンショット画像１１００Ａ〜第３のスクリーンショット画像１１００Ｃは、本発明の実施形態により、ＷＣＳ−ＷＣＡＰを介して図１０Ａ〜１０Ｆに示されるようなプロセスに従って生成されるウェブページベースのアクションの使用に関連する。したがって、図示するように、
・図１１Ａの第１のスクリーンショット画像１１００Ａでは、ユーザはウェブコンテンツ内で第１のコンテンツ画像１１２０および第２のコンテンツ画像１１３０と一緒にアクションアイコン１１１０を開いている（第３のコンテンツ画像にはアクションアイコン１１１０で開かれたウェブコンテンツが被さっている）。
・図１１Ｂの第２のスクリーンショット画像１１００Ｂでは、ユーザは、第１のコンテンツ画像１１２０〜第３のコンテンツ画像１１４０を備える他のコンテンツページにアクション１１５０をドラッグしている。
・図１１Ｃの第３のスクリーンショット画像１１００Ｃでは、ドラッグアクション１１５０が第１のコンテンツ画像１１２０〜第３のコンテンツ画像１１４０上で行われて、第１のポラロイド画像１１６０〜第３のポラロイド画像１１８０を生成している。
【００８９】
図１１Ｂの第２のスクリーンショット画像１１００Ｂでは、ドラッグアクション１１５０は、図面の明瞭化のため、コンテンツを有する大きな白いボックスとして示される。任意で、ドラッグアクション１１５０は、アクション９５０の単なる半透明レンダリングまたは従来技術において既知な別の表示手段とすることができる。これらの側面に関係なく、アクションアイコン１１５０は、適切なコンテンツにドラッグドロップされたときにアクションを実行する。もしくは、アクションアイコン１１５０などのアクションアイコンは、それ自体をドラッグさせるのではなく、アイコン上でコンテンツをドラッグさせることができる。
【００９０】
図１２Ａ〜１２Ｇは、本発明の実施形態により、ＷＣＳ−ＷＣＡＰを介してフォントのロードと使用に関するウィジェットを生成し適用することに関する第１のスクリーンショット画像１２００Ａ〜第７のスクリーンショット画像１２００Ｇを示す。したがって、図示するように、
・図１２Ａの第１のスクリーンショット画像１２００Ａでは、ユーザは、生成されるアクションと対応付けたいと考える最初のテキストボックス１２１０を作成するが、図１１と本明細書から自明であるように、エレメントはテキストボックス１２１０ではなく、画像、視聴覚コンテンツなどであってもよい。
・図１２Ｂの第２のスクリーンショット画像１２００Ｂでは、ユーザはアクションフォルダ１２２０を開いており、フォルダ内にはユーザがエレメントを作成したいと考えるアクション１２３０「ｆｏｎｔｓ．ｆｏｎｔｓ．ｔｘｔ」がある。
・図１２Ｃの第３のスクリーンショット画像１２００Ｃでは、ユーザはアクション１２３０を開いており、フォントをリストアップするポップアップ１２４０で「ｈｔｔｐ：／／ｗｗｗ．ｇｏｏｇｌｅ．ｃｏｍ／ｆｏｎｔｓ／ｓｐｅｃｉｍｅｎ／ＯｐｅｎＳａｎｓ」などのＵＲＬとして表示されている。
・図１２Ｄの第４のスクリーンショット画像１２００Ｄでは、ユーザはアクションを、アクションボックス１２５０を作成するテキストボックス１２１０に対応付けており、これはたとえば、テキストボックス１２１０を選択し、アクションフォルダ１２２０からアクション１２３０にドラッグすることによって実行することができる。
・図１２Ｅの第５のスクリーンショット画像１２００Ｅでは、ユーザは現在のアクティブウェブページから別のウェブページまでアクションボックス１２５０をドラッグしている。
・図１２Ｆの第６のスクリーンショット画像１２００Ｆでは、ウェブページにドロップされると、アクションボックスが実行され、この場合、アクション１２３０「ｆｏｎｔｓ．ｆｏｎｔｓ．ｔｘｔ」内のフォントがインストールされる。
・図１２Ｇの第７のスクリーンショット画像１２００Ｇでは、ユーザはウェブページを移動させており、アクションボックス１２５０内に埋め込まれたアクション１２３０、「ｆｏｎｔｓ．ｆｏｎｔｓ．ｔｘｔ」を介して９個すべてのフォント、すなわち、「Ｒｏｂｏｔｏ」、「Ｒａｌｅｗａｙ」、「Ｏｐｅｎ  Ｓａｎｓ」、「Ｄｒｏｉｄ  Ｓｅｒｉｆ」、「Ｙａｎｏｎｅ  Ｋａｆｆｅｓａｔｚ」、「Ｏｓｗａｌｄ」、「Ｕｎｂｕｎｔｕ」、「Ａｒｉｍｏ」、「Ｏｘｙｇｅｎ」がインストールされているのが分かる。
【００９１】
図１３Ａおよび１３Ｂは、本発明の実施形態により、ＷＣＳ−ＷＣＡＰを介してあるウェブページから別のウェブページに画像を直接コピーし埋め込むことに関連する第１のスクリーンショット画像１３００Ａおよび第２のスクリーンショット画像１３００Ｂを示す。したがって、図示するように、
・図１３Ａの第１のスクリーンショット画像１３００Ａでは、ユーザは、第１のウェブページ１３１０までナビゲートされており、ユーザはその中のコンテンツ１３２０に上述した方法と同様にしてアクセスしたいと考えている。
・図１３Ｂの第２のスクリーンショット画像１３００Ｂでは、ユーザは単にコンテンツ１３２０を選択し、それを新たなページ１３３０にコピーしている。現在は新たな画像１３４０として埋め込まれている。
【００９２】
図１４Ａ〜１４Ｅは、本発明の実施形態により、ＷＣＳ−ＷＣＡＰを介してウェブページからコンテンツをコピーし、ウィジェットに埋め込み、ウィジェットを使用することに関連する第１のスクリーンショット画像１４００Ａ〜第５のスクリーンショット画像１４００Ｂを示す。したがって、図示するように、
・図１４Ａの第１のスクリーンショット画像１４００Ａでは、ユーザは本発明の実施形態によるＷＣＳ−ＷＣＡＰ内のウェブページと、コンテンツ１４１０の選択された複数の項目にナビゲートされている。
・図１４Ｂの第２のスクリーンショット画像１４００Ｂでは、ユーザはＷＣＳ−ＷＣＡＰ環境でのコピーペーストアプリケーションを通じてテキスト文書を生成しており、コンテンツ１４１０の選択された複数の項目のＤＯＭがテキスト文書にペーストされている。
・図１４Ｃの第３のスクリーンショット画像１４００Ｃでは、ユーザは保存プロセス１４２０を通じて、コンテンツ１４１０の選択された複数の項目に関するペーストされたＤＯＭコンテンツをウィジェット「ｔｅｓｔ−ｗｉｄｇｅｔ．ｗｉｄｇｅｔｓ．ｈｔｍｌ」に対応付けている。
・図１４Ｄの第４のスクリーンショット画像１４００Ｄでは、ユーザはウィジェットを新たなウェブページに挿入し、ウィジェット１４３０を挿入している。
・図１４Ｅの第５のスクリーンショット画像１４００Ｅでは、第４のスクリーンショット画像１４００Ｄに挿入されたウィジェット１４３０はＷＣＳ−ＷＣＡＰ環境内で実行されているため、コンテンツ１４１０の選択された複数の項目は現在、新たなコンテンツ１４４０として他のウェブページに挿入されている。
【００９３】
図１Ａ〜１５Ｄは、本発明の実施形態により、ＷＣＳ−ＷＣＡＰ内のインテリジェントパレットに関連する第１のスクリーンショット画像１５００Ａ〜第４のスクリーンショット画像１５００Ｄを示す。したがって、図示するように、
・図１５Ａの第１のスクリーンショット画像１５００Ａでは、ＷＣＳ−ＷＣＡＰ環境内のユーザは新たなウェブページまたはウェブコンテンツで作業しようとしており、第１のパレット１５１０および第２のパレット１５２０が表示され、デフォルトまたはユーザ設定によって、第１のパレット１５１０および第２のパレット１５２０の構造に従ってツール、特徴、設定などへのアクセスを提供する。
・図１５Ｂの第２のスクリーンショット画像１５００Ｂでは、ユーザは、新たな矩形１５３０をウェブページに追加しており、第１のパレット１５１０および第２のパレット１５２０が位置と視認性を維持している。
・図１５Ｃの第３のスクリーンショット画像１５００Ｃでは、ユーザが矩形１５３０を移動させると、第１のパレット１５１０および第２のパレット１５２０は空の表示領域１５４０および１５５０から明らかなように透明となり、ユーザは、ＷＣＳ−ＷＣＡＰが表示する、および／またはユーザが表示することを選択した整然としたパレット環境で作業することができる。
・図１５Ｄの第４のスクリーンショット画像１５００Ｄでは、ユーザは矩形１５３０を新たな位置１５６０に公開しており、現在ユーザには、一対のパレットである第３のパレット１５７０および第４のパレット１５８０が再度提示され、新たな位置はウェブページのコンテンツに基づき決定されるため、ウェブページコンテンツとは抵触しない。
【００９４】
したがって、図示するように、第３のパレット１５７０と第１のパレット１５１０はウェブページのコンテンツに対して類似の位置を有するが、ウェブページが表示されたウィンドウ内で横方向に移動されているので、第３のパレット１５７０は現在、部分的に表示されている。
【００９５】
図１６Ａ〜１６Ｄは、本発明の実施形態により、ＷＣＳ−ＷＣＡＰを介してウェブページでＨＴＭＬインラインフレームエレメント（＜ｉｆｒａｍｅ＞またはｉｆｒａｍｅ）を利用して、編集可能領域および／またはセグメント化コンテンツを提供することに関連する第１のスクリーンショット画像１６００Ａ〜第４のスクリーンショット画像１６００Ａ〜１６００Ｄを示す。１つのｉｆｒａｍｅまたは複数のｉｆｒａｍｅにより、ビジュアルＨＴＭＬブラウザウィンドウはセグメントに分割され、各セグメントが別の文書を示すことができる。これにより、レイアウトの反復部分が１フレームとされ、可変コンテンツが別のフレームで表示されるため携帯アプリケーションなどの多くの場合、帯域幅を低下させることができる。したがって、図示するように、
・図１６Ａの第１のスクリーンショット画像１６００Ａでは、ユーザはコンテンツ１６１０の項目を編集中であるアクティブコンテンツページを開いており、ページの底部はｉｆｒａｍｅであり、第１のコンテンツ１６２０はユーザに一連のキーボードショートカットを提供する。
・図１６Ｂの第２のスクリーンショット画像１６００Ｂでは、ユーザがｉｆｒａｍｅ内でスクロールした結果、第２のコンテンツ１６３０が表示されているが、アクティブコンテンツページおよびコンテンツ１６１０の項目の修正も調節も発生していない。
・図１６Ｃの第３のスクリーンショット画像１６００Ｃでは、ユーザはｉｆｒａｍｅ内に表示される第１のコンテンツ１６２０に影響を及ぼさずに、コンテンツ１６１０の項目を新たな位置１６４０に移動させることができるが、重要なことに、本発明の実施形態では、ユーザはブラウザウィンドウ内のｉｆｒａｍｅ内のコンテンツを編集することができ、この場合、左のアプリケーションリストを選択している（後に消去する）。
・図１６Ｄの第４のスクリーンショット画像１６００Ｄでは、修正ｉｆｒａｍｅ１６６０は新たなウェブページ１６５０内に表示されており、左のアプリケーションリストは、第１のスクリーンショット画像１６００Ａの第１のコンテンツ１６１０に対して消去されている。
【００９６】
したがって、ユーザは以前に生成されたコンテンツにアクセスし、それをｉｆｒａｍｅとして新たなコンテンツに埋め込むことができ、新たなコンテンツの編集／修正は、ｉｆｒａｍｅ内のコンテンツで作業した後、全部をリロードするために、複数の別々のウィンドウで作業する、あるいは新たなコンテンツを出る必要なしに、ｉｆｒａｍｅ内のコンテンツを直接編集することができる。自明であるように、任意で、この入れ子型のコンテンツ階層は、同じ現行アクティブウィンドウ内を下って、またはユーザアクセス権限、ＷＣＳ−ＷＣＡＰ特徴セットなどに従って編集することができる。ユーザがｉｆｒａｍｅまたは階層を下って編集できる機能は、たとえば制限または遮断される。
【００９７】
本発明の実施形態に関する上述の説明と図１Ａ〜１６Ｄにおいて、場合によっては、ユーザはページ上でアクションの実行をトリガする（アクションを実行する）ものと示されている。しかしながら、本発明の実施形態は選択されたオブジェクトとの対話に限定されず、関連し選択されたオブジェクトを伴い、あるいは伴わずに直接実行することができる。したがって、アクションは全テキスト、全画像などに作用することができる。
【００９８】
図１７は、本発明の実施形態により、ウェブコンテンツシステムおよびウェブコンテンツアプリケーション／プラットフォーム（ＷＣＳ−ＷＣＡＰ）をサポートする、本発明の実施形態で採用することができるネットワーク環境１７００を示す。上記ＷＣＳ−ＷＣＡＰは、たとえば複数のチャネルと動的コンテンツをサポートする。図示するように、第１のユーザ群１７００Ａと第２のユーザ群１７００Ａはそれぞれ、遠距離通信ネットワーク１７００とインタフェースをとる。代表的な遠距離通信アーキテクチャ内で、遠隔中央交換局１７８０は、長距離ＯＣ−４８／ＯＣ−１９２バックボーン要素、ＯＣ−４８広域ネットワーク（ＷＡＮ）、パッシブオプティカルネットワーク、無線リンクなどを含むことができるネットワーク１７００を介して、遠距離通信サービスプロバイダネットワークの残りの要素と通信する。中央交換局１７８０は、ネットワーク１７００を介して局所、地域、国際交換局（明瞭化のため図示せず）に接続され、ネットワーク１７００を介して第１の携帯電話ＡＰ１７９５Ａおよび第２の携帯電話ＡＰ１７９５Ｂに接続されて、第１のユーザ群１７００Ａおよび第２のユーザ群１７００Ｂ用のＷｉ−Ｆｉセルを提供する。また、ネットワーク１７００には第１のＷｉ−Ｆｉノード１７１０Ａおよび第２のＷｉ−Ｆｉノード１７１０Ｂも接続され、後者はルータ１７０５を介してネットワーク１７００に接続されている。第２のＷｉ−Ｆｉノード１７１０Ｂはたとえば、米国特許商標庁（ＵＳＰＴＯ）などの企業１７６０と関連付けられ、企業１７６０内には他の第１のユーザ群１７００Ａおよび第２のユーザ群１７００Ｂも存在する。また、第２のユーザ群１７００ＢはＤＳＬ、Ｄｉａｌ−Ｕｐ、ＤＯＣＳＩＳ、イーサネット（登録商標）、Ｇ．ｈｎ、ＩＳＤＮ、ＭｏＣＡ、ＰＯＮ、電力線通信（ＰＬＣ）を含むが、それらに限定されない有線インタフェースを介してネットワーク１７００に接続され、ルータ１７０５などのルータによってルーティングされてもされなくてもよい。
【００９９】
第１のＡＰ１７１０Ａと対応付けられるセル内で、第１のユーザ群１７００Ａは、たとえば、ラップトップコンピュータ１７５５、携帯ゲーミングコンソール１７３５、タブレットコンピュータ１７４０、スマートフォン１７５０、携帯電話１７４５、携帯マルチメディアプレーヤ１７３０などの様々なＰＥＤを採用することができる。第２のＡＰ１７１０Ｂと対応付けられるセル内で、第２のユーザ群１７００Ｂは、たとえば、ゲーミングコンソール１７２５、パーソナルコンピュータ１７１５、無線／インターネット対応テレビ１７２０、ケーブルモデム１７０５などの様々なＦＥＤを採用することができる。第１の携帯電話ＡＰ１７９５Ａと第２の携帯電話１７９５Ｂはそれぞれ、たとえば、携帯電話ＧＳＭ（登録商標）（移動通信用グローバルシステム）電話サービスのみならず、向上したデータ転送サポートを備えた３Ｇおよび４Ｇ進化サービスを提供する。第２の携帯電話ＡＰ１７９５Ｂは、例示的な実施形態では、第１のユーザ群１７００Ａおよび第２のユーザ群１７００Ｂに受信範囲を提供する。もしくは、第１のユーザ群１７００Ａと第２のユーザ群１７００Ｂは地理的に異なり、１人または複数のネットワークオペレータによって地理的に分布される複数のＡＰ（明瞭化のため図示せず）を通じてネットワーク１７００にアクセスすることができる。図示されるように、第１の携帯電話ＡＰ１７９５Ａは、第１のユーザ群１７００Ａ、および第２のユーザ群１７００Ｂと第１のユーザ群１７００Ａとを備える環境１７７０に受信範囲を提供する。したがって、第１のユーザ群１７００Ａと第２のユーザ群１７００Ｂは、特定の通信インタフェースに従って、ＩＥＥＥ８０２．１１、ＩＥＥＥ８０２．１５、ＩＥＥＥ８０２．１６、ＩＥＥＥ８０２．２０、ＵＭＴＳ、ＧＳＭ８５０、ＧＳＭ９００、ＧＳＭ１８００、ＧＳＭ１９００、ＧＰＲＳ、ＩＴＵ−Ｒ５．１３８、ＩＴＵ−Ｒ５．１５０、ＩＴＵ−Ｒ５．２８０、ＩＭＴ−２０００などの１つ以上の無線通信規格に応じてネットワーク１７００と通信することができる。当業者にとって明らかなように、多くの携帯および固定電子装置は複数の無線プロトコルを同時にサポートすることができるため、たとえば、ユーザは電話通信、ＳＭＳ、Ｗｉ−Ｆｉ／ＷｉＭＡＸデータ送信、ＶＯＩＰ、インターネットアクセスなどのＧＳＭサービスを採用することができる。したがって、第１のユーザ群１７００Ａ内の携帯電子装置は、ＩＥＥＥ８０２．１５やブルートゥース（登録商標）などの規格に従ってだけでなく、ケースバイケースで関連付けを形成することができる。
【０１００】
さらに、ネットワーク１７００は、ソーシャルネットワーク（ＳＯＣＮＥＴＳ）１７６５、ＷｏｒｄＰｒｅｓｓＴＭ、ＧｏＤａｄｄｙＴＭなどの第１のサービスプロバイダ１７７０Ａと第２のサービスプロバイダ１７７０Ｂ、ＢｉｎｇＴＭ、ＧｏｏｇｌｅＴＭ、ＭＳＮＴＭなどの第１のプロバイダ１７７５Ａ〜第３のプロバイダ１７７５Ｃ、第１のサーバ１７９０Ａおよび第２のサーバ１７９０Ｂ、明瞭化のため図示しないその他に接続される。第１のサーバ１７９０Ａおよび第２のサーバ１７９０Ｂは、本発明の実施形態により、ウェブコンテンツシステムおよびウェブコンテンツアプリケーション／プラットフォーム（ＷＣＳ−ＷＣＡＰ）と関連付けられる複数のサービス；ＷＣＳ−ＷＣＡＰ特徴を利用するＳＯＣＮＥＴまたはソーシャルメディア（ＳＯＭＥ）のプロバイダ；ＷＣＳ−ＷＣＡＰ特徴を利用しないＳＯＣＮＥＴおよび／またはＳＯＭＥのプロバイダ；ＰＥＤＳおよび／またはＦＥＤＳへのサービスのプロバイダ；有線および／または無線通信の１つ以上の側面のプロバイダ；ＷＣＳ−ＷＣＡＰ特徴を利用する企業１７６０；ライセンスデータベース；コンテンツデータベース；画像データベース；コンテンツライブラリ；顧客データベース；ウェブサイト；ＷＣＳ−ＷＣＡＰ特徴を利用する、および／または提供するＦＥＤおよび／またはＰＥＤへのダウンロードまたはアクセス用のソフトウェアアプリケーションを提供することができる。第１の主コンテンツサーバ１７９０Ａと第２の主コンテンツサーバ１７９０Ｂは、サーチエンジン、金融サービス、第三者アプリケーション、その他のインターネットベースのサービスなどのその他のインターネットサービスのホストとして働くことができる。
【０１０１】
したがって、ユーザは、企業１７６０内のＰＥＤおよび／またはＦＥＤを利用し、たとえば、第１の主コンテンツサーバ１７９０Ａおよび第２の主コンテンツサーバ１７９０Ｂの一方にアクセスし、本発明の実施形態によるＷＣＳ−ＷＣＡＰ特徴を提供するアクセス／ダウンロードアプリケーションなどの作業を実行する；ＷＣＳ−ＷＣＡＰ特徴を提供する既にインストールされたアプリケーションを実行する；ＷＣＳ−ＷＣＡＰ特徴を提供するウェブベースのアプリケーションを実行する；あるいはコンテンツにアクセスすることができる。同様に、ユーザは、第１の携帯電話ＡＰ１７９５Ａと第２の携帯電話ＡＰ１７９５Ｂの一方と第１のＷｉ−Ｆｉノード１７１０Ａを介して、第１のユーザ群１７００Ａと第２のユーザ群１７００Ｂ内のＰＥＤまたはＦＥＤを利用し、本発明の実施形態の上記アクションまたはその他を実行することができる。
【０１０２】
図１８は、本発明の実施形態により、ＷＣＳ−ＷＣＡＰ特徴をサポートする電子装置１８０４とネットワークアクセスポイント１８０７を示す。電子装置１８０４はたとえば、ＰＥＤおよび／またはＦＥＤとし、記載および図示される要素の上下に追加の要素を含むことができる。また、電子装置１８０４内に、スマートフォン１７５５などの電子装置１８０４、第１のＡＰ１７１０などのアクセスポイント（ＡＰ）１８０６、通信サーバ、ストリーミングメディアサーバなどの１つ以上のネットワーク装置１８０７、第１のサーバ１７９０Ａおよび第２のサーバ１７９０Ｂなどのルータを含むシステム１８００の概略機能図の一部として、プロトコルアーキテクチャが図示される。ネットワーク装置１８０７は、図１７を参照して説明した、および直接指摘したようなネットワーク、有線、無線および／または光通信リンクの組み合わせを介して、ＡＰ１８０６に接続することができる。ネットワーク装置１８０７は、ネットワーク１７００と、ネットワーク１７００内のソーシャルネットワーク（ＳＯＣＮＥＴＳ）１７６５、ＷｏｒｄＰｒｅｓｓＴＭとＧｏＤａｄｄｙＴＭなどの第１のサービスプロバイダ１７７０Ａおよび第２のサービスプロバイダ１７７０Ｂ、ＢｉｎｇＴＭ、ＧｏｏｇｌｅＴＭ、ＭＳＮＴＭなどの第１のプロバイダ１７７５Ａ〜第３のプロバイダ１７７５Ｃ、ＰａｇｅＣｌｏｕｄＴＭなどのＷＣＳ−ＷＣＡＰプロバイダ１８９０に接続される。
【０１０３】
電子装置１８０４は、１つ以上のプロセッサ１８１０とプロセッサ１８１０に接続されるメモリ１８１２とを含む。ＡＰ１８０６は、１つ以上のプロセッサ１８１１とプロセッサ１８１０に接続されるメモリ１８１３とをさらに含む。プロセッサ１８１０および１８１１の非包括的なリストは、中央処理装置（ＣＰＵ）、デジタル信号プロセッサ（ＤＳＰ）、縮小命令セットコンピュータ（ＲＩＳＣ）、複合命令セットコンピュータ（ＣＩＳＣ）などを含む。さらに、プロセッサ１８１０および１８１１は特定用途集積回路（ＡＳＩＣ）の一部であってもよく、あるいは特定用途用標準品（ＡＳＳＰ）の一部であってもよい。メモリ１８１２および１８１３の非包括的リストは、レジスタ、ラッチ、ＲＯＭ、ＥＥＰＲＯＭ、フラッシュメモリデバイス、不揮発性ランダムアクセスメモリ装置（ＮＶＲＡＭ）、ＳＤＲＡＭ、ＤＲＡＭ、ダブルデータレート（ＤＤＲ）メモリ装置、ＳＲＡＭ、ユニバーサルシリアルバス（ＵＳＢ）脱着式メモリなどの半導体装置の任意の組み合わせを含む。
【０１０４】
電子装置１８０４は、プロセッサ１８１０のいずれかに接続されるマイクロホンなどの音声入力要素１８１４とスピーカなどの音声出力要素１８１６を含むことができる。電子装置１８０４は、プロセッサ１８１０のいずれかに接続されるビデオカメラまたはカメラなどの映像入力要素１８１８とＬＣＤディスプレイなどの映像出力要素１８２０を含むことができる。電子装置１８０４は、たとえば物理的キーボードやタッチパッドなどのキーボード１８１５およびタッチパッド１８１７をさらに含むことで、ユーザはコンテンツを入力する、あるいは、アプリケーション１８２２のうちの１つ内の機能を選択することができる。もしくは、キーボード１８１５とタッチパッド１８１７は、電子装置１８０４内でディスプレイの一部を成すタッチ要素の所定領域であってもよい。１つ以上のアプリケーション１８２２は通常、メモリ１８１２に記憶され、プロセッサ１８１０の任意の組み合わせによって実行可能である。電子装置１８０４は、プロセス１８１０に入力される３次元運動を提供する加速度計１８６０と、プロセッサ１８１０に地理的位置情報を提供するＧＰＳ１８６２をさらに含む。
【０１０５】
電子装置１８０４はプロトコルスタック１８２４を含み、ＡＰ１８０６は通信スタック１８２５を含む。システム１８００内で、プロトコルスタック１８２４はＩＥＥＥ８０２．１１プロトコルスタックとして示されるが、インターネット・エンジニアリング・タスクフォース（ＩＥＴＦ）マルチメディアプロトコルスタックなどの他のプロトコルスタックを利用することもできる。同様に、ＡＰスタック１８２５はプロトコルスタックを利用するが、明瞭化のために拡張しない。プロトコルスタック１８２４およびＡＰスタック１８２５のエレメントは、ソフトウェア、ファームウェア、および／またはハードウェアの組み合わせで実現することができる。プロトコルスタック１８２４は、１つ以上のフロントエンドＴｘ／Ｒｘ＆アンテナ１８２８に接続されるＩＥＥＥ８０２．１１−対応ＰＨＹモジュール１８２６と、ＩＥＥＥ８０２．２−対応ＬＬＣモジュール１８３２に接続されるＩＥＥＥ８０２．１１−対応ＭＡＣモジュール１８３０とを含む。プロトコルスタック１８２４は、ネットワーク層ＩＰモジュール１８３４、トランスポート層ユーザデータグラムプロトコル（ＵＤＰ）モジュール１８３６、トランスポート層伝送制御プロトコル（ＴＣＰ）モジュール１８３８を含む。
【０１０６】
プロトコルスタック１８２４は、セッション層リアルタイム転送プロトコル（ＲＴＰ）モジュール１８４０、セッション告知プロトコル（ＳＡＰ）モジュール１８４２、セッション確立プロトコル（ＳＩＰ）モジュール１８４４、リアルタイムストリーミングプロトコル（ＲＴＳＰ）モジュール１８４６をさらに含む。プロトコルスタック１８２４は、プレゼンテーション層メディアネゴシエーションモジュール１８４８、呼制御モジュール１８５０、１つ以上の音声コーデック１８５２、１つ以上の映像コーデック１８５４を含む。アプリケーション１８２２は、ＡＰ１８０６によって装置１８０７で通信セッションを維持する、および／または終了させることができる。通常、アプリケーション１８２２は、その目的でＳＡＰ、ＳＩＰ、ＲＴＳＰ、メディアネゴシエーション、呼制御モジュールのいずれかを始動することができる。通常、情報は、ＴＣＰモジュール１８３８、ＩＰモジュール１８３４、ＬＬＣモジュール１８３２、ＭＡＣモジュール１８３０を通じて、ＳＡＰ、ＳＩＰ、ＲＴＳＰ、メディアネゴシエーション、呼制御モジュールからＰＨＹモジュール１８２６に伝播させることができる。
【０１０７】
また、当業者にとって自明であるように、電子装置１８０４の要素は、ＡＰ１８０６内に実装することができ、たとえば、ＩＥＥＥ８０２．１１−対応ＰＨＹモジュール、ＩＥＥＥ８０２．１１−対応ＭＡＣモジュール、ＩＥＥＥ８０２．２−対応ＬＬＣモジュール１８３２を含むプロトコルスタック１８２４の１つ以上の要素を含むが、これらに限定されない。ＡＰ１８０６は、ネットワーク層ＩＰモジュール、トランスポート層ユーザデータグラムプロトコル（ＵＤＰ）モジュール、トランスポート層伝送制御プロトコル（ＴＣＰ）モジュール、セッション層リアルタイム転送プロトコル（ＲＴＰ）モジュール、セッション告知プロトコル（ＳＡＰ）モジュール、セッション確立プロトコル（ＳＩＰ）モジュール、リアルタイムストリーミングプロトコル（ＲＴＳＰ）モジュール、メディアネゴシエーションモジュール、呼制御モジュールをさらに含むことができる。電子装置１８０４によって表される携帯および固定電子装置は、ＩＥＥＥ８０２．１５、ＩＥＥＥ８０２．１６、ＩＥＥＥ８０２．２０、ＵＭＴＳ、ＧＳＭ８５０、ＧＳＭ９００、ＧＳＭ１８００、ＧＳＭ１９００、ＧＰＲＳ、ＩＴＵ−Ｒ５．１３８、ＩＴＵ−Ｒ５．１５０、ＩＴＵ−Ｒ５．２８０、ＩＭＴ−２０００、ＤＳＬ、ＤｉａｌーＵｐ、ＤＯＣＳＩＳ、イーサネット、Ｇ．ｈｎ、ＩＳＤＮ、ＭｏＣＡ、ＰＯＮ、電力線通信（ＰＬＣ）を含む群から選択することができるＩＥＥＥ８０２．１１インタフェースに加えて、１つ以上の追加の無線または有線インタフェースを含むことができる。
【０１０８】
実施形態を完全に理解してもらうために、具体的な詳細を上述した。しかしながら、実施形態はこれらの具体的な詳細がなくても実行できると理解される。たとえば、回路は、実施形態を不要に曖昧にしないようにブロック図で示す。他の例では、既知の回路、プロセス、アルゴリズム、構造、技術は、実施形態を曖昧にするのを防ぐために不要な詳細なしで示すことができる。
【０１０９】
上述の技術、ブロック、ステップ、手段の実装は様々な方法で実行することができる。たとえば、これらの技術、ブロック、ステップ、手段は、ハードウェア、ソフトウェア、またはそれらの組み合わせで実現することができる。ハードウェア実装の場合、処理ユニットは、上述の機能および／またはそれらの組み合わせを実行するように設計される、１つ以上の特定用途向け集積回路（ＡＳＩＣ）、デジタル信号プロセッサ（ＤＳＰ）、デジタル信号処理装置（ＤＳＤＰ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、その他の電子ユニット内に実装することができる。
【０１１０】
また、実施形態は、フローチャート、フロー図、データフロー図、構造図、またはブロック図に示されるプロセスとして記載することができることに注意されたい。フローチャートは連続プロセスとして作業を記載することができるが、作業の多くは並行して、または同時に実行することができる。また、作業の順序は並べ替えることができる。プロセスは作業が完了すると終了するが、図面に含まれない追加ステップを有することができる。プロセスは方法、機能、手順、サブルーチン、サブプログラムなどに対応させることができる。プロセスが機能に対応する場合、終了は機能の呼機能または主機能への復帰に対応する。
【０１１１】
さらに、実施形態は、ハードウェア、ソフトウェア、スクリプト言語、ファームウェア、ミドルウェア、マイクロコード、ハードウェア記述言語、および／またはそれらの任意の組み合わせによって実行することができる。ソフトウェア、ファームウェア、ミドルウェア、スクリプト言語および／またはマイクロコードで実行されるとき、必要なタスクを実行するプログラムコードまたはコードセグメントは、記憶媒体などの機械可読媒体に記憶させることができる。コードセグメントまたは機械可読命令は、手順、機能、サブプログラム、プログラム、ルーチン、サブルーチン、モジュール、ソフトウェアパッケージ、スクリプト、クラス、または命令、データ構造、および／またはプログラム文の任意の組み合わせを表すことができる。コードセグメントは、情報、データ、引数、パラメータ、および／またはメモリコンテンツを送信する、および／または受信することによって別のコードセグメントまたはハードウェア回路に接続することができる。情報、引数、パラメータ、データなどは、メモリ共有、メッセージ送信、トークン送信、ネットワーク通信などの任意の適切な手段を介して伝達、転送、または送信することができる。
【０１１２】
ファームウェアおよび／またはソフトウェア実装の場合、方法は、本明細書に記載される方法を実行するモジュール（たとえば、手順や機能など）を用いて実現することができる。本明細書に記載の方法を実行する際、命令を有形に具体化する機械可読媒体を使用することができる。たとえば、ソフトウェアコードをメモリに記憶させることができる。メモリはプロセッサ内またはプロセッサ外に実装することができ、メモリが後で実行されるソフトウェアコードを記憶するときに採用される実施例と、メモリがソフトウェアコードを実行するときに採用される実施例とは異ならせることができる。本明細書で使用されるとき、「メモリ」という文言は、任意の種類の長期、短期、揮発性、不揮発性、またはその他の記憶媒体を指し、特定の種類のメモリ、いくつかのメモリ、またはメモリを記憶する媒体の種類に限定されない。
【０１１３】
さらに、本明細書に開示されるように、「記憶媒体」という文言は、読取専用メモリ（ＲＯＭ）、ランダムアクセスメモリ（ＲＡＭ）、磁気ＲＡＭ、コアメモリ、磁気ディスク記憶媒体、光記憶媒体、フラッシュメモリ装置、および／または情報を記憶するその他の機械可読媒体など、データを記憶する１つ以上の装置を表すことができる。「機械可読媒体」という文言は、携帯または固定記憶装置、光記憶装置、無線チャネル、および／または命令および／またはデータを記憶、含有、または搬送することができるその他の各種媒体を含むが、これらに限定されない。
【０１１４】
本明細書に記載される方法は、１つ以上の実施形態では、命令を含むコードセグメントを受け入れる１つ以上のプロセッサを含む機械によって実行される。本明細書に記載される方法の場合、命令が機械によって実行されるとき、その機械が方法を実行する。機械によって行われるアクションを明示する１セットの命令（連続的またはそれ以外）を実行することのできる任意の機械が含まれる。よって、標準的な機械は、１つ以上のプロセッサを含む標準的な処理システムによって例示することができる。各プロセッサは、ＣＰＵ、グラフィックス処理ユニット、プログラマブルＤＳＰユニットのうちの１つ以上を含むことができる。処理システムは、主ＲＡＭおよび／または静的ＲＡＭ、および／またはＲＯＭなどのメモリサブシステムをさらに含むことができる。コンポーネント間の通信のためのバスサブシステムを含むことができる。処理システムがディスプレイを必要とする場合、液晶ディスプレイ（ＬＣＤ）などのディスプレイを含むことができる。手動データ入力が必要とされる場合、処理システムは、入力装置、たとえば、キーボードなどの英数字入力ユニット、マウスなどのポインティング制御装置のうちの１つ以上をさらに含む。
【０１１５】
メモリは、処理システムによって実行されるとき、本明細書に記載される方法のうちの１つ以上を実行する命令を含む機械可読コードセグメント（たとえば、ソフトウェアまたはソフトウェアコード）を含む。ソフトウェアは、コンピュータシステムによる実行中、メモリ内にすべてを置く、あるいはＲＡＭおよび／またはプロセッサ内に完全にまたは少なくとも部分的に置くことができる。よって、メモリとプロセッサは、機械可読コードを備えるシステムを構成する。
【０１１６】
他の実施形態では、機械はスタンドアローン装置として動作する、あるいは、ネットワーク配備下において他の装置に接続する、たとえばネットワーク接続することができる。機械は、サーバ−クライアントネットワーク環境内のサーバまたはクライエント機械の能力内で、またはピアツーピアまたは分散ネットワーク環境内のピア機械として動作することができる。機械は、たとえば、コンピュータ、サーバ、サーバ群、コンピュータ群、ウェブアプライアンス、分配コンピューティング環境、クラウドコンピューティング環境、または該機械によって行われるアクションを明示する１セットの命令を（連続的またはそれ以外で）実行することができる任意の機械であってもよい。「機械」という文言は、１セット（または複数セット）の命令を個別に、またはまとめて実行して、本明細書に記載される方法のうちの１つ以上を実行する機械の集合を含むものと解釈することができる。
【０１１７】
本発明の例示的実施形態は例示と説明のために開示した。これは、包括的である、あるいは本発明を開示する正確な形式に限定することを目的としていない。本明細書に記載される実施形態の多くの変形および変更は、上述の開示に鑑み、当業者にとって自明となるであろう。本発明の範囲は、本明細書に添付される請求項とその等価物によってのみ定義されるべきである。
【０１１８】
さらに、本発明の代表的な実施形態を記載する際、本明細書は、本発明の方法および／またはプロセスを特定のシーケンスのステップとして提示している場合がある。しかしながら、方法またはプロセスが本明細書に記載される特定の順序のプロセスに依存しないという点で、方法またはプロセスは記載する特定のシーケンスのステップに限定されるべきではない。当業者が理解するように、他のシーケンスのステップも可能である。したがって、本明細書に記載する特定の順序のステップは請求項の限定と解釈すべきではない。また、本発明の方法および／またはプロセスに関する請求項は、記載される順番でステップを実行することに限定されず、当業者であれば、シーケンスは本発明の精神と範囲を逸脱せずに変更できることが容易に認識されるであろう。
【図１Ａ】
2018536233.tif 000003
【図１Ｂ】
2018536233.tif 000004
【図１Ｃ】
2018536233.tif 000005
【図２Ａ】
2018536233.tif 000006
【図２Ｂ】
2018536233.tif 000007
【図２Ｃ】
2018536233.tif 000008
【図３Ａ】
2018536233.tif 000009
【図３Ｂ】
2018536233.tif 000010
【図３Ｃ】
2018536233.tif 000011
【図３Ｄ】
2018536233.tif 000012
【図４Ａ】
2018536233.tif 000013
【図４Ｂ】
2018536233.tif 000014
【図４Ｃ】
2018536233.tif 000015
【図５Ａ】
2018536233.tif 000016
【図５Ｂ】
2018536233.tif 000017
【図５Ｃ】
2018536233.tif 000018
【図５Ｄ】
2018536233.tif 000019
【図５Ｅ】
2018536233.tif 000020
【図５Ｆ】
2018536233.tif 000021
【図６Ａ】
2018536233.tif 000022
【図６Ｂ】
2018536233.tif 000023
【図６Ｃ】
2018536233.tif 000024
【図６Ｄ】
2018536233.tif 000025
【図７Ａ】
2018536233.tif 000026
【図７Ｂ】
2018536233.tif 000027
【図８Ａ】
2018536233.tif 000028
【図８Ｂ】
2018536233.tif 000029
【図８Ｃ】
2018536233.tif 000030
【図９Ａ】
2018536233.tif 000031
【図９Ｂ】
2018536233.tif 000032
【図９Ｃ】
2018536233.tif 000033
【図９Ｄ】
2018536233.tif 000034
【図９Ｅ】
2018536233.tif 000035
【図１０Ａ】
2018536233.tif 000036
【図１０Ｂ】
2018536233.tif 000037
【図１０Ｃ】
2018536233.tif 000038
【図１０Ｄ】
2018536233.tif 000039
【図１０Ｅ】
2018536233.tif 000040
【図１０Ｆ】
2018536233.tif 000041
【図１１Ａ】
2018536233.tif 000042
【図１１Ｂ】
2018536233.tif 000043
【図１１Ｃ】
2018536233.tif 000044
【図１２Ａ】
2018536233.tif 000045
【図１２Ｂ】
2018536233.tif 000046
【図１２Ｃ】
2018536233.tif 000047
【図１２Ｄ】
2018536233.tif 000048
【図１２Ｅ】
2018536233.tif 000049
【図１２Ｆ】
2018536233.tif 000050
【図１２Ｇ】
2018536233.tif 000051
【図１３Ａ】
2018536233.tif 000052
【図１３Ｂ】
2018536233.tif 000053
【図１４Ａ】
2018536233.tif 000054
【図１４Ｂ】
2018536233.tif 000055
【図１４Ｃ】
2018536233.tif 000056
【図１４Ｄ】
2018536233.tif 000057
【図１４Ｅ】
2018536233.tif 000058
【図１５Ａ】
2018536233.tif 000059
【図１５Ｂ】
2018536233.tif 000060
【図１５Ｃ】
2018536233.tif 000061
【図１５Ｄ】
2018536233.tif 000062
【図１６Ａ】
2018536233.tif 000063
【図１６Ｂ】
2018536233.tif 000064
【図１６Ｃ】
2018536233.tif 000065
【図１６Ｄ】
2018536233.tif 000066
【図１７】
2018536233.tif 000067
【図１８】
2018536233.tif 000068
【国際調査報告】
2018536233.tif 000069
2018536233.tif 000070
2018536233.tif 000071